(57)【要約】【課題】ＰＵＣＣＨ（Physical Uplink Control Channel）を用いた非周期的なチャネル状態情報を報告するための構成に関する情報を、適切に端末装置にシグナリングすることを可能にする。【解決手段】基地局１００は、端末装置２００がＰＵＣＣＨを用いて第１のチャネル状態情報を非周期的に報告するための第１の非周期的トリガーステイトの構成に関する情報を取得する取得部と、上記第１の非周期的トリガーステイトの構成に関する上記情報を含むＲＲＣ（Radio Resource Control）メッセージを、端末装置２００に送信する送信処理部と、を備える。
2020090573.tif 000002
【特許請求の範囲】
【請求項１】
端末装置がＰＵＣＣＨ（Physical Uplink Control Channel）を用いて第１のチャネル状態情報を非周期的に報告するための第１の非周期的トリガーステイトの構成に関する情報を取得する取得部と、
前記第１の非周期的トリガーステイトの構成に関する前記情報を含むＲＲＣ（Radio Resource Control）メッセージを、前記端末装置に送信する送信処理部と、を備える基地局。
【請求項２】
前記取得部は、前記端末装置がＰＵＳＣＨ（Physical Uplink Shared Channel）を用いて第２のチャネル状態情報を非同期で報告するための第２の非周期的トリガーステイトの構成に関する情報を更に取得し、
前記送信処理部は、前記第１の非周期的トリガーステイトの構成に関する前記情報と前記第２の非周期的トリガーステイトの構成に関する前記情報とを含むＲＲＣ（Radio Resource Control）メッセージを、前記端末装置に送信する請求項１記載の基地局。
【請求項３】
前記第１の非周期的トリガーステイトの構成に関する前記情報は、複数の非周期的トリガーステイトの候補の中から前記第１の非周期的トリガーステイトを識別する第１の識別情報を含む、請求項２記載の基地局。
【請求項４】
前記取得部は、複数の第２の非周期的トリガーステイトの構成に関する情報を取得し、
前記第１の識別情報は、前記複数の第２の非周期的トリガーステイトの中から前記第１の非周期的トリガーステイトに関連付けられた第２の非周期的トリガーステイトを識別するための情報である、請求項３記載の基地局。
【請求項５】
前記第２の非周期的トリガーステイトの構成に関する前記情報は、前記第２の非周期的トリガーステイトに関連付けられた第２のチャネル状態情報の構成に関する情報を識別する第２の識別情報を含み、
前記第１の非周期的トリガーステイトに関連付けられた第１のチャネル状態情報の構成に関する情報は、前記第１の非周期的トリガーステイトに関連付けられた第２の非周期的トリガーステイトの構成に関する前記情報に含まれる前記第２の識別情報に基づいて識別される、請求項４記載の基地局。
【請求項６】
前記第１の非周期的トリガーステイトの構成に関する前記情報は、前記第２の非周期的トリガーステイトの構成に関する前記情報に関連付けられていない情報である、請求項２記載の基地局。
【請求項７】
前記第１の非周期的トリガーステイトの構成に関する前記情報は、前記第１の非周期的トリガーステイトに対応する第１のチャネル状態情報の構成に関する情報を識別する第３の識別情報を含む、請求項６記載の基地局。
【請求項８】
前記第１のチャネル状態情報は、前記第２のチャネル状態情報により特定されるチャネル状態を基準とする更新内容に関する情報を含む、請求項２乃至７のうち何れか１項記載の基地局。
【請求項９】
前記更新内容に関する前記情報は、前記第２のチャネル状態情報により特定されるＣＱＩ（Channel Quality Indicator）を基準とするＣＱＩの差分に関する情報を含む、請求項８記載の基地局。
【請求項１０】
前記更新内容に関する前記情報は、前記第２のチャネル状態情報により特定されるＰＭＩ（Precoding Matrix Indicator）を基準とするＰＭＩの一部分に関する情報を含む、請求項８又は９記載の基地局。
【請求項１１】
前記更新内容に関する前記情報は、前記第２のチャネル状態情報により特定されるＬ１−ＲＳＲＰ（Layer 1 - Reference Signal Received Power）を基準とするＬ１−ＲＳＲＰの順序に関する情報を含む、請求項８乃至１０のうち何れか１項記載の基地局。
【請求項１２】
前記第１の非周期的トリガーステイトの構成に関する前記情報は、前記更新内容に関する前記情報を表すビット数に関する情報を含む、請求項８乃至１１のうち何れか１項記載の基地局。
【請求項１３】
前記第１の非周期的トリガーステイトの構成に関する前記情報は、前記第１のチャネル状態情報に前記更新内容に関する前記情報が含まれるか否かに関する情報を含む、請求項８乃至１２のうち何れか１項記載の基地局。
【請求項１４】
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信する受信処理部と、
前記第１の非周期的トリガーステイトの構成に関する前記情報に基づき、前記ＰＵＣＣＨを用いて前記第１のチャネル状態情報を前記基地局に送信する送信処理部と、を備える端末装置。
【請求項１５】
端末装置がＰＵＣＣＨ（Physical Uplink Control Channel）を用いて第１のチャネル状態情報を非周期的に報告するための第１の非周期的トリガーステイトの構成に関する情報を取得することと、
前記第１の非周期的トリガーステイトの構成に関する前記情報を含むＲＲＣ（Radio Resource Control）メッセージを、前記端末装置に送信することと、を含む方法。
【請求項１６】
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、
前記第１の非周期的トリガーステイトの構成に関する前記情報に基づき、前記ＰＵＣＣＨを用いて前記第１のチャネル状態情報を前記基地局に送信することと、を含む方法。
【請求項１７】
端末装置がＰＵＣＣＨ（Physical Uplink Control Channel）を用いて第１のチャネル状態情報を非周期的に報告するための第１の非周期的トリガーステイトの構成に関する情報を取得することと、
前記第１の非周期的トリガーステイトの構成に関する前記情報を含むＲＲＣ（Radio Resource Control）メッセージを、前記端末装置に送信することと、をプロセッサに実行させるプログラム。
【請求項１８】
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、
前記第１の非周期的トリガーステイトの構成に関する前記情報に基づき、前記ＰＵＣＣＨを用いて前記第１のチャネル状態情報を前記基地局に送信することと、をプロセッサに実行させるプログラム。
【請求項１９】
端末装置がＰＵＣＣＨ（Physical Uplink Control Channel）を用いて第１のチャネル状態情報を非周期的に報告するための第１の非周期的トリガーステイトの構成に関する情報を取得することと、
前記第１の非周期的トリガーステイトの構成に関する前記情報を含むＲＲＣ（Radio Resource Control）メッセージを、前記端末装置に送信することと、をプロセッサに実行させるプログラムを記録したコンピュータに読み取り可能な非一時的記録媒体。
【請求項２０】
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、
前記第１の非周期的トリガーステイトの構成に関する前記情報に基づき、前記ＰＵＣＣＨを用いて前記第１のチャネル状態情報を前記基地局に送信することと、をプロセッサに実行させるプログラムを記録したコンピュータに読み取り可能な非一時的記録媒体。
【発明の詳細な説明】
【技術分野】
【０００１】
本発明は、無線アクセスネットワーク経由でのデータの送受信に関連する基地局、端末装置、方法、プログラム、及び記録媒体に関する。
【背景技術】
【０００２】
無線通信システムにおいて、基地局がダウンリンクのチャネル状態を取得するための仕組みとしてＣＳＩ（Channel State Information）フレームワークが知られている。ＣＳＩフレームワークでは、端末装置は、基地局により送信された参照信号（RS：Reference Signal）に対する測定（measurement）を行い、ダウンリンクのチャネル状態情報（CSI：Channel State Information）を生成する。次に、端末装置は、生成されたＣＳＩから構成されるＣＳＩ報告（CSI report）をアップリンクで基地局に送信する。【０００３】
基地局がダウンリンク制御情報（DCI：Downlink Control Information）を用いて端末装置に動的にＣＳＩ報告の送信を指示する方法として、非周期的（aperiodic）ＣＳＩ報告が知られている。第５世代の移動通信システムであるＮＲ（New Radio）の初版であるＮＲリリース１５では、端末装置が非周期的ＣＳＩ報告を物理アップリンク共有チャネル（PUSCH：Physical Uplink Shared Channel）で送信することが規定されている（例えば、非特許文献１を参照。）。【０００４】
また、ＮＲの機能強化を目的としたＮＲリリース１６の仕様検討において、端末装置が非周期的ＣＳＩ報告を物理アップリンク制御チャネル（PUCCH：Physical Uplink Control Channel）で送信することが提案されている（例えば、非特許文献２を参照。）。具体的に、非特許文献２には、ＰＵＣＣＨを用いることにより、低レイテンシでＣＳＩを報告することが提案されている。
【先行技術文献】
【非特許文献】
【０００５】
【非特許文献１】3GPP, “3GPP TS38. 214 v15.2.0,” Jun. 2018.
【非特許文献２】Huawei, HiSilicon “CSI feedback enhancements for URLLC”, 3GPP TSG RAN WG1 Meeting #92bis. Sanya, China, 16-20 April 2018. R1-1804289
【発明の概要】
【発明が解決しようとする課題】
【０００６】
しかしながら、非特許文献２には、ＣＳＩの定義やビットフィールド等の構成に関して具体的な内容が記載されていない。このように、上述した非特許文献２などでは、ＰＵＣＣＨを用いて非周期的なチャネル状態情報（ＣＳＩ）の報告を行う場合に、非周期的なチャネル状態情報を報告するための構成に関する情報を端末装置にシグナリングすることについて、具体的な検討がなされていない。【０００７】
本発明の目的は、ＰＵＣＣＨを用いた非周期的なチャネル状態情報を報告するための構成に関する情報を、適切に端末装置にシグナリングすることを可能にする基地局、及び端末装置を提供することにある。
【課題を解決するための手段】
【０００８】
本発明の一つの態様によれば、基地局は、端末装置がＰＵＣＣＨ（Physical Uplink Control Channel）を用いて第１のチャネル状態情報を非周期的に報告するための第１の非周期的トリガーステイトの構成に関する情報を取得する取得部と、前記第１の非周期的トリガーステイトの構成に関する前記情報を含むＲＲＣ（Radio Resource Control）メッセージを、前記端末装置に送信する送信処理部と、を備える。【０００９】
本発明の一つの態様によれば、端末装置は、ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信する受信処理部と、前記第１の非周期的トリガーステイトの構成に関する前記情報に基づき、前記ＰＵＣＣＨを用いて前記第１のチャネル状態情報を前記基地局に送信する送信処理部と、を備える。【００１０】
本発明の一つの態様によれば、第１の方法は、端末装置がＰＵＣＣＨ（Physical Uplink Control Channel）を用いて第１のチャネル状態情報を非周期的に報告するための第１の非周期的トリガーステイトの構成に関する情報を取得することと、前記第１の非周期的トリガーステイトの構成に関する前記情報を含むＲＲＣ（Radio Resource Control）メッセージを、前記端末装置に送信することと、を含む。【００１１】
本発明の一つの態様によれば、第２の方法は、ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、前記第１の非周期的トリガーステイトの構成に関する前記情報に基づき、前記ＰＵＣＣＨを用いて前記第１のチャネル状態情報を前記基地局に送信することと、を含む。【００１２】
本発明の一つの態様によれば、第１のプログラムは、端末装置がＰＵＣＣＨ（Physical Uplink Control Channel）を用いて第１のチャネル状態情報を非周期的に報告するための第１の非周期的トリガーステイトの構成に関する情報を取得することと、前記第１の非周期的トリガーステイトの構成に関する前記情報を含むＲＲＣ（Radio Resource Control）メッセージを、前記端末装置に送信することと、をプロセッサに実行させる。【００１３】
本発明の一つの態様によれば、第２のプログラムは、ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、前記第１の非周期的トリガーステイトの構成に関する前記情報に基づき、前記ＰＵＣＣＨを用いて前記第１のチャネル状態情報を前記基地局に送信することと、をプロセッサに実行させる。【００１４】
本発明の一つの態様によれば、第１の記録媒体は、端末装置がＰＵＣＣＨ（Physical Uplink Control Channel）を用いて第１のチャネル状態情報を非周期的に報告するための第１の非周期的トリガーステイトの構成に関する情報を取得することと、前記第１の非周期的トリガーステイトの構成に関する前記情報を含むＲＲＣ（Radio Resource Control）メッセージを、前記端末装置に送信することと、をプロセッサに実行させるプログラムを記録したコンピュータに読み取り可能な非一時的記録媒体である。【００１５】
本発明の一つの態様によれば、第２の記録媒体は、ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、前記第１の非周期的トリガーステイトの構成に関する前記情報に基づき、前記ＰＵＣＣＨを用いて前記第１のチャネル状態情報を前記基地局に送信することと、をプロセッサに実行させるプログラムを記録したコンピュータに読み取り可能な非一時的記録媒体である。
【発明の効果】
【００１６】
本発明によれば、ＰＵＣＣＨを用いた非周期的なチャネル状態情報を報告するための構成に関する情報を、適切に端末装置にシグナリングすることが可能になる。なお、本発明により、当該効果の代わりに、又は当該効果とともに、他の効果が奏されてもよい。
【図面の簡単な説明】
【００１７】
【図１】図１は、本発明の実施形態に係るシステム１の概略的な構成の一例を示す説明図である。
【図２】図２は、第１の実施形態に係る基地局１００の概略的な構成の例を示すブロック図である。
【図３】図３は、第１の実施形態に係る端末装置２００の概略的な構成の例を示すブロック図である。
【図４】図４は、第１の非周期的トリガーステイトの構成に関する情報が上位レイヤパラメータとして設定された場合のＣＳＩ報告の送信指示を説明するための概略図である。
【図５】図５は、第２の非周期的トリガーステイトの構成に関する情報が上位レイヤパラメータとして設定された場合のＣＳＩ報告の送信指示を説明するための概略図である。
【図６】図６は、第１の具体例に係るＣＳＩフレームワークの上位パラメータＣＳＩ−ＭｅａｓＣｏｎｆｉｇ  ＩＥを概略的に示す図である。
【図７】図７は、ＣＳＩ−ＲｅｐｏｒｔＣｏｎｆｉｇ  ＩＥに含まれる具体的なパラメータを示す図である。
【図８】図８は、ＣＳＩ−ＲｅｓｏｕｒｃｅＣｏｎｆｉｇ  ＩＥに含まれる具体的なパラメータを示す図である。
【図９】図９は、ＮＺＰ−ＣＳＩ−ＲＳ−ＲｅｓｏｕｒｃｅＳｅｔ  ＩＥに含まれる具体的なパラメータを示す図である。
【図１０】図１０は、ＮＺＰ−ＣＳＩ−ＲＳ−Ｒｅｓｏｕｒｃｅ  ＩＥに含まれる具体的なパラメータを示す図である。
【図１１】図１１は、ＤＣＩに含まれるＣＳＩ  ｒｅｑｕｅｓｔフィールドのビット数について説明するための図である。
【図１２】図１２は、第２の具体例に係るＣＳＩフレームワークの上位パラメータＣＳＩ−ＭｅａｓＣｏｎｆｉｇ  ＩＥを概略的に示す図である。
【図１３】図１３は、第１の実施形態に係るＲＲＣメッセージのシグナリング処理の概略的な流れの例を説明するためのフローチャートである。
【図１４】図１４は、ＵＬ  ＤＣＩ及びＤＬ  ＤＣＩによる非周期的ＣＳＩ報告の指示について説明するための図である。
【図１５】図１５は、Ｌ１−ＲＳＲＰが報告される場合のダウンリンク送信ビームについて説明するための図である。
【図１６】図１６は、第２の実施形態に係る基地局１００の概略的な構成の例を示すブロック図である。
【図１７】図１７は、第２の実施形態に係る端末装置２００の概略的な構成の例を示すブロック図である。
【発明を実施するための形態】
【００１８】
以下、添付の図面を参照して本発明の実施形態を詳細に説明する。なお、本明細書及び図面において、同様に説明されることが可能な要素については、同一の符号を付することにより重複説明が省略されうる。
【００１９】
説明は、以下の順序で行われる。
１．実施形態の概要
２．システムの構成
３．第１の実施形態
３．１．基地局の構成
３．２．端末装置の構成
３．３．技術的特徴
４．第２の実施形態
４．１．基地局の構成
４．２．端末装置の構成
４．３．技術的特徴
５．他の形態
【００２０】
＜＜１．実施形態の概要＞＞
まず、本発明の実施形態の概要を説明する。
【００２１】
（１）技術的課題
無線通信システムにおいて、基地局がダウンリンクのチャネル状態を取得するための仕組みとしてＣＳＩ（Channel State Information）フレームワークが知られている。ＣＳＩフレームワークでは、端末装置は、基地局により送信された参照信号（RS：Reference Signal）に対する測定（measurement）を行い、ダウンリンクのチャネル状態情報（CSI：Channel State Information）を生成する。次に、端末装置は、生成されたＣＳＩで構成されるＣＳＩ報告（CSI report）をアップリンクで基地局に送信する。
【００２２】
基地局がダウンリンク制御情報（DCI：Downlink Control Information）を用いて端末装置に動的にＣＳＩ報告の送信を指示する方法として、非周期的（aperiodic）ＣＳＩ報告が知られている。第５世代の移動通信システムであるＮＲ（New Radio）の初版であるＮＲリリース１５では、端末装置が非周期的ＣＳＩ報告を物理アップリンク共有チャネル（PUSCH：Physical Uplink Shared Channel）で送信することが規定されている（例えば下記の文献１を参照。）。さらに、ＮＲリリース１５では、非周期的ＣＳＩ報告の送信指示情報が、ＰＵＳＣＨのスケジューリングを行うＤＣＩ（以下では「ＵＬ  ＤＣＩ」とも呼ぶ。）に含まれることが規定されている（例えば、下記の文献２を参照。）。なお、ＤＣＩは物理ダウンリンク制御チャネル（PDCCH：Physical Downlink Control Channel）で送信される。
文献１：3GPP, “3GPP TS38. 214 v15.2.0,” Jun. 2018.
文献２：3GPP, “3GPP TS38. 212 v15.2.0,” Jun. 2018.
【００２３】
また、ＮＲの機能強化を目的としたＮＲリリース１６の仕様検討において、端末装置が非周期的ＣＳＩ報告を物理アップリンク制御チャネル（PUCCH：Physical Uplink Control Channel）で送信することが提案されている（例えば、下記の文献３を参照。）。具体的に、下記の文献３には、ＰＵＣＣＨを用いることにより、低レイテンシでＣＳＩを報告することが提案されている。
文献３：Huawei, HiSilicon “CSI feedback enhancements for URLLC”, 3GPP TSG RAN WG1 Meeting #92bis. Sanya, China, 16-20 April 2018. R1-1804289
【００２４】
このようにしてＰＵＣＣＨを用いて非周期的ＣＳＩ報告を行う場合、非周期的ＣＳＩ報告の送信指示情報は、物理ダウンリンク共有チャネル（PDSCH：Physical Downlink Shared Channel）のスケジューリングを行うＤＣＩ（以下では「ＤＬ  ＤＣＩ」とも呼ぶ。）に含まれる。そして、非周期的ＣＳＩ報告は、ＰＤＳＣＨの受信結果を示すＨＡＲＱ−ＡＣＫ（Hybrid Automatic Repeat reQuest-ACKnowledgement）と多重化され、１個のアップリンク制御情報（UCI：Uplink Control Information）として同一のＰＵＣＣＨリソース上で送信される。
【００２５】
このようにＤＬ  ＤＣＩに非周期的ＣＳＩ報告の送信指示情報を含めることにより、例えばＰＤＳＣＨの再送時に非周期的ＣＳＩ報告の送信指示を行うことができる。つまり、迅速なリンクアダプテーションが可能となる。また、ＣＳＩ報告及びＨＡＲＱ−ＡＣＫが多重化され、１個のＰＵＣＣＨリソースで送信されるため、アップリンクのリソースが効率的に使用されうる。
【００２６】
しかしながら、上記の文献３には、ＣＳＩの定義やビットフィールド等の構成に関して具体的な内容が記載されていない。このように、上記の文献３などでは、ＰＵＣＣＨを用いて非周期的なチャネル状態情報（ＣＳＩ）の報告を行う場合に、非周期的なチャネル状態情報を報告するための構成に関する情報を端末装置にシグナリングすることについて、具体的な検討がなされていない。
【００２７】
また、上述したように、端末装置がＨＡＲＱ−ＡＣＫ及びＣＳＩ報告を多重化して１個のＵＣＩを送信する場合、ＨＡＲＱ−ＡＣＫを単独で送信する場合と比較して、ＵＣＩの符号化率が上昇する。これにより、基地局がＵＣＩの復号に失敗した場合、基地局は端末装置により送信されたＨＡＲＱ−ＡＣＫを正常に認識できない。これにより、ＰＤＳＣＨの再送が発生しうる。この結果、ダウンリンク及びアップリンクの無線リソースが無駄に消費されうる。
【００２８】
上述した課題を解決するため、本実施形態の目的は、ＰＵＣＣＨを用いた非周期的なチャネル状態情報を報告するための構成に関する情報を、適切に端末装置にシグナリングすることを可能にすることにある。
【００２９】
（２）技術的特徴
本実施形態では、例えば、基地局は、端末装置がＰＵＣＣＨ（Physical Uplink Control Channel）を用いて第１のチャネル状態情報を非周期的に報告するための第１の非周期的トリガーステイトの構成に関する情報を取得し、上記第１の非周期的トリガーステイトの構成に関する上記情報を含むＲＲＣ（Radio Resource Control）メッセージを、上記端末装置に送信する。
【００３０】
また、上記端末装置は、上記第１の非周期的トリガーステイトの構成に関する上記情報を含む上記ＲＲＣメッセージを、基地局から受信し、上記第１の非周期的トリガーステイトの構成に関する上記情報に基づき、上記ＰＵＣＣＨを用いて上記第１のチャネル状態情報を上記基地局に送信する。
【００３１】
これにより、例えば、ＰＵＣＣＨを用いた非周期的なチャネル状態情報を報告するための構成に関する情報を、適切に端末装置にシグナリングすることが可能になる。なお、上述した技術的特徴は本発明の実施形態の具体的な一例であり、当然ながら、本発明の実施形態は上述した技術的特徴に限定されない。
【００３２】
＜＜２．システムの構成＞＞
図１を参照して、本発明の実施形態に係るシステム１の構成の例を説明する。図１は、本発明の実施形態に係るシステム１の概略的な構成の一例を示す説明図である。図１を参照すると、システム１は、基地局１００、及び端末装置２００を含む。
【００３３】
例えば、システム１は、３ＧＰＰ（Third Generation Partnership Project）の規格（standard）／仕様（specification）に準拠したシステムである。より具体的には、例えば、システム１は、ＬＴＥ／ＬＴＥ−Ａｄｖａｎｃｅｄ／ＬＴＥ−Ａｄｖａｎｃｅｄ Ｐｒｏ及び／又はＳＡＥ（System Architecture Evolution）の規格／仕様に準拠したシステムであってもよい。あるいは、システム１は、第５世代（５Ｇ）／ＮＲの規格／仕様に準拠したシステムであってもよい。当然ながら、システム１は、これらの例に限定されない。
【００３４】
（１）基地局１００
基地局１００は、無線アクセスネットワーク（Radio Access Network：ＲＡＮ）のノードであり、カバレッジエリア１０内に位置する端末装置（例えば、端末装置２００）との無線通信を行う。
【００３５】
例えば、基地局１００は、ｅＮＢ（evolved Node B）であってもよく、又は、５ＧにおけるｇＮＢ（generation Node B）であってもよい。基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central Unit：ＣＵ）と呼ばれてもよく、上記第２のユニットは、分散ユニット（Distributed Unit：ＤＵ）又はアクセスユニット（Access Unit：ＡＵ）と呼ばれてもよい。別の例として、上記第１ユニットは、デジタルユニット（Digital Unit：ＤＵ）と呼ばれてもよく、上記第２ユニットは、無線ユニット（Radio Unit：ＲＵ）又はリモートユニット（Remote Unit：ＲＵ）と呼ばれてもよい。上記ＤＵ（Digital Unit）は、ＢＢＵ（Base Band Unit）であってもよく、上記ＲＵは、ＲＲＨ（Remote Radio Head）又はＲＲＵ（Remote Radio Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００３６】
（２）端末装置２００
端末装置２００は、基地局との無線通信を行う。例えば、端末装置２００は、基地局１００のカバレッジエリア１０内に位置する場合に、基地局１００との無線通信を行う。例えば、端末装置２００は、ＵＥ（User Equipment）である。
【００３７】
＜＜３．第１の実施形態＞＞
続いて、図２〜図１５を参照して、本発明の第１の実施形態を説明する。
【００３８】
＜３．１．基地局の構成＞
次に、図２を参照して、第１の実施形態に係る基地局１００の構成の例を説明する。図は、第１の実施形態に係る基地局１００の概略的な構成の例を示すブロック図である。図２を参照すると、基地局１００は、無線通信部１１０、ネットワーク通信部１２０、記憶部１３０及び処理部１４０を備える。
【００３９】
（１）無線通信部１１０
無線通信部１１０は、信号を無線で送受信する。例えば、無線通信部１１０は、端末装置からの信号を受信し、端末装置への信号を送信する。
【００４０】
（２）ネットワーク通信部１２０
ネットワーク通信部１２０は、ネットワークから信号を受信し、ネットワークへ信号を送信する。
【００４１】
（３）記憶部１３０
記憶部１３０は、基地局１００の動作のためのプログラム（命令）及びパラメータ、並びに様々なデータを、一時的に又は恒久的に記憶する。当該プログラムは、基地局１００の動作のための１つ以上の命令を含む。
【００４２】
（４）処理部１４０
処理部１４０は、基地局１００の様々な機能を提供する。処理部１４０は、取得部１４１、送信処理部１４３、及び受信処理部１４５を含む。なお、処理部１４０は、これらの構成要素以外の他の構成要素をさらに含みうる。すなわち、処理部１４０は、これらの構成要素の動作以外の動作も行い得る。取得部１４１、送信処理部１４３、及び受信処理部１４５の具体的な動作は、後に詳細に説明する。
【００４３】
例えば、処理部１４０（送信処理部１４３及び受信処理部１４５）は、無線通信部１１０を介して端末装置（例えば、端末装置２００）と通信する。例えば、処理部１４０（送信処理部１４３及び受信処理部１４５）は、ネットワーク通信部１２０を介して他のネットワークノード（例えば、コアネットワークのノード）と通信する。
【００４４】
（５）実装例
無線通信部１１０は、アンテナ及び高周波（Radio Frequency：ＲＦ）回路等により実装されてもよく、当該アンテナは、指向性アンテナであってもよい。ネットワーク通信部１２０は、ネットワークアダプタ並びに／又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他の種類のプロセッサ等の１つ以上のプロセッサにより実装されてもよい。取得部１４１、送信処理部１４３、及び受信処理部１４５は、同一のプロセッサにより実装されてもよく、別々に異なるプロセッサにより実装されてもよい。上記メモリ（記憶部１３０）は、上記１つ以上のプロセッサ内に含まれていてもよく、又は、上記１つ以上のプロセッサ外にあってもよい。
【００４５】
基地局１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（取得部１４１、送信処理部１４３、及び／又は受信処理部１４５の動作）を行ってもよい。上記プログラムは、処理部１４０の動作（取得部１４１、送信処理部１４３、及び／又は受信処理部１４５の動作）をプロセッサに実行させるためのプログラムであってもよい。
【００４６】
なお、基地局１００は、仮想化されていてもよい。即ち、基地局１００は、仮想マシンとして実装されてもよい。この場合に、基地局１００（仮想マシン）は、プロセッサ及びメモリ等を含む物理マシン（ハードウェア）及びハイパーバイザ上で仮想マシンとして動作してもよい。
【００４７】
＜３．２．端末装置の構成＞
次に、図３を参照して、第１の実施形態に係る端末装置２００の構成の例を説明する。図３は、第１の実施形態に係る端末装置２００の概略的な構成の例を示すブロック図である。図３を参照すると、端末装置２００は、無線通信部２１０、記憶部２２０及び処理部２３０を備える。
【００４８】
（１）無線通信部２１０
無線通信部２１０は、信号を無線で送受信する。例えば、無線通信部２１０は、基地局からの信号を受信し、基地局への信号を送信する。
【００４９】
（２）記憶部２２０
記憶部２２０は、端末装置２００の動作のためのプログラム（命令）及びパラメータ、並びに様々なデータを、一時的に又は恒久的に記憶する。当該プログラムは、端末装置２００の動作のための１つ以上の命令を含む。
【００５０】
（３）処理部２３０
処理部２３０は、端末装置２００の様々な機能を提供する。処理部２３０は、受信処理部２３１、及び送信処理部２３３を含む。なお、処理部２３０は、これらの構成要素以外の他の構成要素をさらに含みうる。すなわち、処理部２３０は、これらの構成要素の動作以外の動作も行い得る。受信処理部２３１、及び送信処理部２３３の具体的な動作は、後に詳細に説明する。
【００５１】
例えば、処理部２３０（受信処理部２３１及び送信処理部２３３）は、無線通信部２１０を介して基地局（例えば、基地局１００）と通信する。
【００５２】
（４）実装例
無線通信部２１０は、アンテナ及び高周波（ＲＦ）回路等により実装されてもよい。記憶部２２０は、メモリ（例えば、不揮発性メモリ及び／若しくは揮発性メモリ）並びに／又はハードディスク等により実装されてもよい。処理部２３０は、ベースバンド（ＢＢ）プロセッサ及び／又は他の種類のプロセッサ等の１つ以上のプロセッサにより実装されてもよい。受信処理部２３１及び送信処理部２３３は、同一のプロセッサにより実装されてもよく、別々に異なるプロセッサにより実装されてもよい。上記メモリ（記憶部２２０）は、上記１つ以上のプロセッサ内に含まれていてもよく、又は、上記１つ以上のプロセッサ外にあってもよい。一例として、処理部２３０は、ＳｏＣ（System on Chip）内で実装されてもよい。
【００５３】
端末装置２００は、プログラム（命令）を記憶するメモリと、当該プログラム（命令）を実行可能な１つ以上のプロセッサとを含んでもよい。当該１つ以上のプロセッサは、上記プログラムを実行して、処理部２３０の動作（受信処理部２３１及び／又は送信処理部２３３の動作）を行ってもよい。上記プログラムは、処理部２３０の動作（受信処理部２３１及び／又は送信処理部２３３の動作）をプロセッサに実行させるためのプログラムであってもよい。
【００５４】
＜３．３．技術的特徴＞
次に、第１の実施形態の技術的特徴を説明する。
【００５５】
−基地局
基地局１００（取得部１４１）は、端末装置２００がＰＵＣＣＨ（Physical Uplink Control Channel）を用いて第１のチャネル状態情報を非周期的に報告するための第１の非周期的トリガーステイトの構成に関する情報を取得する。そして、基地局１００（送信処理部１４３）は、上記第１の非周期的トリガーステイトの構成に関する上記情報を含むＲＲＣ（Radio Resource Control）メッセージを、端末装置２００に送信する。
【００５６】
−端末装置
端末装置２００（受信処理部２３１）は、上記第１の非周期的トリガーステイトの構成に関する上記情報を含む上記ＲＲＣ（Radio Resource Control）メッセージを、基地局１００から受信する。そして、端末装置２００（送信処理部２３３）は、上記第１の非周期的トリガーステイトの構成に関する上記情報に基づき、ＰＵＣＣＨを用いて上記第１のチャネル状態情報を基地局１００に送信する。
【００５７】
以上のようにして、上記第１の非周期的トリガーステイトの構成に関する上記情報を含む上記ＲＲＣ（Radio Resource Control）メッセージが基地局１００から端末装置２００に送信される。このようにして、ＰＵＣＣＨを用いた非周期的なチャネル状態情報を報告するための構成に関する情報を、適切に基地局１００から端末装置２００にシグナリングすることが可能になる。
【００５８】
（１）非周期的トリガーステイトの構成に関する情報
非周期的トリガーステイトは、非周期的なＣＳＩ報告に関する１個以上の設定を動的に選択するための設定であってもよい。非周期的トリガーステイトは、ＲＲＣメッセージによって通知されるＣＳＩ−ＡｐｅｒｉｏｄｉｃＴｒｉｇｇｅｒＳｔａｔｅＬｉｓｔ  ＩＥに含まれるパラメータの中から動的に選択されてもよい。
【００５９】
また非周期的トリガーステイトは、チャネルおよび干渉の少なくとも一方の測定のための、非周期的なＣＳＩ−ＲＳリソースセットをトリガーするための設定であってもよい。この非周期的なＣＳＩ−ＲＳリソースセットは、ＲＲＣメッセージによって通知されるＣＳＩ−ＡｐｅｒｉｏｄｉｃＴｒｉｇｇｅｒＳｔａｔｅＬｉｓｔ  ＩＥに含まれるパラメータにより指定されてもよい。１個の非周期的トリガーステイトは、ＤＣＩに含まれるＣＳＩ  ｒｅｑｕｅｓｔフィールドを用いて開始されてもよい。
【００６０】
端末装置２００は、ＣＳＩ−ＲｅｓｏｕｒｃｅＣｏｎｆｉｇ  ＩＥによってＲｅｓｏｕｒｃｅ  Ｓｅｔｔｉｎｇを設定してもよい。このＣＳＩ−ＲｅｓｏｕｒｃｅＣｏｎｆｉｇ  ＩＥに含まれるｒｅｓｏｕｒｃｅＴｙｐｅパラメータには、「ａｐｅｒｉｏｄｉｃ」、「ｐｅｒｉｏｄｉｃ」、または「ｓｅｍｉ−ｐｅｒｓｉｓｔｅｎｔ」のいずれが設定されてもよい。また、ＣＳＩ−ＲＳリソースセットは上記Ｒｅｓｏｕｒｃｅ  Ｓｅｔｔｉｎｇに関連付けられてもよい。
【００６１】
端末装置２００は、ＣＳＩ−ＲｅｐｏｒｔＣｏｎｆｉｇ  ＩＥによってＲｅｐｏｒｔｉｎｇ  Ｓｅｔｔｉｎｇを設定してもよい。このＣＳＩ−ＲｅｐｏｒｔＣｏｎｆｉｇ  ＩＥに含まれるｒｅｐｏｒｔＣｏｎｆｉｇＴｙｐｅパラメータには、「ａｐｅｒｉｏｄｉｃ」が設定されてもよい。
【００６２】
１個以上のＲｅｐｏｒｔｉｎｇ  Ｓｅｔｔｉｎｇのための非周期的トリガーステイトが、ＣＳＩ−ＡｐｅｒｉｏｄｉｃＴｒｉｇｇｅｒＳｔａｔｅＬｉｓｔ  ＩＥによって設定されてもよい。これに代えて、またはこれに加えて、１個以上のコンポーネントキャリアにおける、チャネルおよび干渉の少なくともいずれかの測定のためのＲｅｓｏｕｒｃｅ  Ｓｅｔｔｉｎｇが、このＣＳＩ−ＡｐｅｒｉｏｄｉｃＴｒｉｇｇｅｒＳｔａｔｅＬｉｓｔ  ＩＥによって設定されてもよい。非周期的トリガーステイトは、任意のダウンリンクＢａｎｄｗｉｄｔｈ  Ｐａｒｔの候補に関連付けられてよい。また端末装置２００は、非アクティブなダウンリンクＢａｎｄｗｉｄｔｈ  Ｐａｒｔに対する非周期的なＣＳＩ報告がトリガーされないこととしてもよい。
【００６３】
例えば、上記非周期的トリガーステイトの構成に関する上記情報が上位レイヤパラメータとして端末装置２００に通知されると、端末装置２００は、上記非周期的トリガーステイトのリストを構成する。ここで、各々の非周期的トリガーステイトは、チャネル状態情報の構成に関する情報を識別するための情報及びチャネル状態情報の生成時に測定対象となる参照信号を識別するための情報を含む。その後、基地局１００は、ＤＣＩに含まれるＣＳＩ  ｒｅｑｕｅｓｔフィールドにおいて、上記リストのうち特定の非周期的トリガーステイトに関連するビットを端末装置２００に送信する。これにより、当該特定の非周期的トリガーステイトに対応する非周期的なＣＳＩ報告が指示（トリガー）される。そして、端末装置２００は、上記ＤＣＩを受信後、上記ＣＳＩ報告の指示に基づき、ＣＳＩ報告を非周期的に（言い換えれば１回のみ）送信することになる。
【００６４】
−第１の非周期的トリガーステイトの構成に関する情報
図４は、上記第１の非周期的トリガーステイトの構成に関する上記情報が上位レイヤパラメータとして設定された場合のＣＳＩ報告の送信指示を説明するための概略図である。
【００６５】
図４に示すように、上記第１の非周期的トリガーステイトの構成に関する上記情報が上位レイヤパラメータとして端末装置２００に通知されると、端末装置２００は、上記第１の非周期的トリガーステイトのリストを構成する。その後、基地局１００は、ＤＬ  ＤＣＩに含まれるＣＳＩ  ｒｅｑｕｅｓｔフィールドにおいて、上記第１の非周期的トリガーステイトに関連するビットを端末装置２００に送信する。これにより、当該第１の非周期的トリガーステイトに対応する非周期的なＣＳＩ報告を行うことが端末装置２００に指示（トリガー）される。そして、端末装置２００は、上記ＤＬ  ＤＣＩを受信後、上記ＣＳＩ報告の指示に基づき、ＰＵＣＣＨを用いてＣＳＩ報告を非周期的に（言い換えれば１回のみ）送信することになる。
【００６６】
−第２の非周期的トリガーステイトに関する情報
基地局１００（取得部１４１）は、端末装置２００がＰＵＳＣＨ（Physical Uplink Shared Channel）を用いて第２のチャネル状態情報を非同期で報告するための第２の非周期的トリガーステイトの構成に関する情報を更に取得してもよい。この場合、基地局１００（送信処理部１４３）は、上記第１の非周期的トリガーステイトの構成に関する上記情報と上記第２の非周期的トリガーステイトの構成に関する上記情報とを含むＲＲＣメッセージを、端末装置２００に送信する。
【００６７】
図５は、上記第２の非周期的トリガーステイトの構成に関する上記情報が上位レイヤパラメータとして設定された場合のＣＳＩ報告の送信指示を説明するための概略図である。
【００６８】
図５に示すように、上記第２の非周期的トリガーステイトの構成に関する上記情報が上位レイヤパラメータとして端末装置２００に通知されると、端末装置２００は、上記第２の非周期的トリガーステイトのリストを構成する。その後、基地局１００は、ＵＬ  ＤＣＩに含まれるＣＳＩ  ｒｅｑｕｅｓｔフィールドにおいて、上記第２の非周期的トリガーステイトに関連するビットを端末装置２００に送信する。これにより、当該第２の非周期的トリガーステイトに対応する非周期的なＣＳＩ報告を行うことが端末装置２００に指示（トリガー）される。そして、端末装置２００は、上記ＵＬ  ＤＣＩを受信後、上記ＣＳＩ報告の指示に基づき、ＰＵＳＣＨを用いてＣＳＩ報告を非周期的に（言い換えれば１回のみ）送信することになる。
【００６９】
（２）非周期的トリガーステイトに関する識別
上記第１の非周期的トリガーステイトの構成に関する上記情報は、複数の非周期的トリガーステイトの候補の中から上記第１の非周期的トリガーステイトを識別する第１の識別情報を含む。
【００７０】
第１の具体例として、基地局１００（取得部１４１）が複数の第２の非周期的トリガーステイトに関する情報を取得する場合、上記第１の識別情報は、上記複数の第２の非周期的トリガーステイトの中から上記第１の非周期的トリガーステイトに対応する第２の非周期的トリガーステイトを識別するための情報であってもよい。
【００７１】
また、上記ＲＲＣメッセージには、第１のチャネル状態情報の構成に関する情報と第２のチャネル状態情報の構成に関する情報が含まれる。
【００７２】
一例として、本第１の具体例では、上記複数の第２の非周期的トリガーステイトの中から上記第１の非周期的トリガーステイトに対応する第２の非周期的トリガーステイトが識別可能な場合には、上記第１の非周期的トリガーステイトに関連付けられた第１のチャネル状態情報の構成に関する情報は、例えば次のようにして識別される。
【００７３】
すなわち、上記第２の非周期的トリガーステイトの構成に関する上記情報は、上記第２の非周期的トリガーステイトに関連付けられた第２のチャネル状態情報の構成に関する情報を識別する第２の識別情報を含むものとする。そして、上記第１の非周期的トリガーステイトに関連付けられた第１のチャネル状態情報の構成に関する情報は、上記第１の非周期的トリガーステイトに関連付けられた第２の非周期的トリガーステイトの構成に関する情報に含まれる第２の識別情報により識別される。
【００７４】
図６は、第１の具体例に係るＣＳＩフレームワークの上位パラメータＣＳＩ−ＭｅａｓＣｏｎｆｉｇ  ＩＥを概略的に示す図である。以下、ＣＳＩ−ＭｅａｓＣｏｎｆｉｇ  ＩＥに含まれるＩＥについて以下の通り説明する。
【００７５】
−チャネル状態情報の構成に関する情報
ＣＳＩフレームワークにおいて、ＣＳＩ報告に含まれるＣＳＩやＣＳＩ報告の送信タイミング等は、ＣＳＩ−ＲｅｐｏｒｔＣｏｎｆｉｇ  ＩＥに基づいて決定される。ＣＳＩ−ＲｅｐｏｒｔＣｏｎｆｉｇ  ＩＥは、上述した上記第１及び上記第２のチャネル状態情報の構成に関する上記情報に相当する。
【００７６】
図７は、ＣＳＩ−ＲｅｐｏｒｔＣｏｎｆｉｇ  ＩＥに含まれる具体的なパラメータを示す図である。図７に示すように、ＣＳＩ報告に含まれるＣＳＩは、ＣＳＩ−ＲｅｐｏｒｔＣｏｎｆｉｇ  ＩＥのｒｅｐｏｒｔＱｕａｎｔｉｔｙフィールドにより設定される。当該フィールドの設定値は「none」、「cri-RI-PMI-CQI」、「cri-RI-i1」、「cri-RI-i1-CQI」、「cri-RI-CQI」、「cri-RSRP」、「ssb-Index-RSRP」、又は「cri-RI-LI-PMI-CQI」である。ここで、「none」が設定された場合、端末装置２００によってＣＳＩ報告が送信されないものとする。
【００７７】
具体的に、ＣＳＩ−ＲｅｐｏｒｔＣｏｎｆｉｇ  ＩＥのｒｅｐｏｒｔＱｕａｎｔｉｔｙフィールドにより設定されるＣＳＩは、チャネル品質指示子（CQI：Channel Quality Indicator）、プリコーディング行列指示子（PMI：Precoding Matrix Indicator）、ＣＳＩ−ＲＳリソース指示子（CRI：CSI-RS Resource Indicator）、ＳＳ／ＰＢＣＨ  ｂｌｏｃｋリソース指示子（SSBRI：SS/PBCH Block Resource Indicator）、レイヤ指示子（LI：Layer Indicator）、ランク指示子（RI：Rank Indicator）、及び／又はレイヤ１参照信号受信電力（L1-RSRP：Layer 1 Reference Signal Received Power）を含む。
【００７８】
また、ＣＳＩ報告の送信タイミングは、ＣＳＩ−ＲｅｐｏｒｔＣｏｎｆｉｇ  ＩＥのｒｅｐｏｒｔＣｏｎｆｉｇＴｙｐｅフィールドにより設定される。ＣＳＩ報告の送信タイミングには、非周期的（aperiodic）、半永続的（semi-persistent）、及び周期的（periodic）の３種類が存在する。
【００７９】
−ＣＳＩ報告を生成する際の測定対象
ＣＳＩ報告を生成する際に測定対象とするＣＳＩ−ＲＳリソースやＣＳＩ−ＲＳの送信タイミング等は、ＣＳＩリソースの構成に関する情報ＣＳＩ−ＲｅｓｏｕｒｃｅＣｏｎｆｉｇ  ＩＥに基づいて決定される。
【００８０】
具体的に、ＣＳＩ−ＲｅｓｏｕｒｃｅＣｏｎｆｉｇ  ＩＥにより設定される測定対象のリソースは、ＣＳＩ−ＲＳ（Channel State Information-Reference Signal）及び／又はＳＳ／ＰＢＣＨ  ｂｌｏｃｋ（Synchronisation Signal/ Physical Broadcast CHannel block）である。
【００８１】
図８は、ＣＳＩ−ＲｅｓｏｕｒｃｅＣｏｎｆｉｇ  ＩＥに含まれる具体的なパラメータを示す図である。測定対象にＣＳＩ−ＲＳが含まれる場合、ＣＳＩ−ＲＳの送信タイミングは、図８に示すように、ＣＳＩ−ＲｅｓｏｕｒｃｅＣｏｎｆｉｇ  ＩＥのｒｅｓｏｕｒｃｅＴｙｐｅフィールドにより設定される。ＣＳＩ−ＲＳの送信タイミングは非周期的（aperiodic）、半永続的（semi-persistent）、及び周期的（periodic）の３種類が存在する。非周期的ＣＳＩ報告を生成する際に測定対象とするＣＳＩ−ＲＳの送信タイミングは上記の３種類のいずれでもよい。
【００８２】
少なくとも１個のＣＳＩ−ＲｅｓｏｕｒｃｅＣｏｎｆｉｇ  ＩＥは、図６に示すように、上述した１個のＣＳＩ−ＲｅｐｏｒｔＣｏｎｆｉｇ  ＩＥと関連付けられる。この関連付けは、ＣＳＩ−ＲｅｐｏｒｔＣｏｎｆｉｇ  ＩＥのｒｅｓｏｕｒｃｅｓＦｏｒＣｈａｎｎｅｌＭｅａｓｕｒｅｍｅｎｔフィールドとＣＳＩ−ＲｅｓｏｕｒｃｅＣｏｎｆｉｇ  ＩＥのｃｓｉ−ＲｅｓｏｕｒｃｅＣｏｎｆｉｇＩｄフィールドに同一の値を設定することで行われる。
【００８３】
また、１個のＣＳＩ報告を生成する際に測定対象となるＣＳＩ−ＲＳリソースの組合せは、非ゼロ電力ＣＳＩ−ＲＳリソースセットで設定される。非ゼロ電力ＣＳＩ−ＲＳリソースセットは、図９に示すようなＮＺＰ−ＣＳＩ−ＲＳ−ＲｅｓｏｕｒｃｅＳｅｔ  ＩＥで設定される。図９は、ＮＺＰ−ＣＳＩ−ＲＳ−ＲｅｓｏｕｒｃｅＳｅｔ  ＩＥに含まれる具体的なパラメータを示す図である。
【００８４】
また、１個のＣＳＩ報告を生成する際に測定対象となるＳＳ／ＰＢＣＨ  ｂｌｏｃｋの組合せは、ＣＳＩ−ＳＳＢ−ＲｅｓｏｕｒｃｅＳｅｔ  ＩＥで設定される。ＣＳＩ−ＳＳＢリソースセットは少なくとも１個のＳＳ／ＰＢＣＨ  ｂｌｏｃｋと関連付けられる。この関連付けは、図６に示すように、ＣＳＩ−ＳＳＢ−ＲｅｓｏｕｒｃｅＳｅｔ  ＩＥのｃｓｉ−ＳＳＢ−ＲｅｓｏｕｒｃｅＬｉｓｔフィールドにＳＳ／ＰＢＣＨ  ｂｌｏｃｋインデックスを設定することで行われる。
【００８５】
１個のＣＳＩ−ＲｅｓｏｕｒｃｅＣｏｎｆｉｇ  ＩＥは少なくとも１個の非ゼロ電力ＣＳＩ−ＲＳリソースセット及び／又はＣＳＩ−ＳＳＢリソースセットと関連付けられる。非ゼロ電力ＣＳＩ−ＲＳリソースセットとの関連付けは、ＣＳＩ−ＲｅｓｏｕｒｃｅＣｏｎｆｉｇ  ＩＥのｎｚｐ−ＣＳＩ−ＲＳ−ＲｅｓｏｕｒｃｅＳｅｔＬｉｓｔサブフィールドの一要素とＮＺＰ−ＣＳＩ−ＲＳ−ＲｅｓｏｕｒｃｅＳｅｔ  ＩＥのｎｚｐ−ＣＳＩ−ＲｅｓｏｕｒｃｅＳｅｔＩｄフィールドに同一の値を設定することで行われる。ＣＳＩ−ＳＳＢリソースセットとの関連付けは、ＣＳＩ−ＲｅｓｏｕｒｃｅＣｏｎｆｉｇ  ＩＥのｃｓｉ−ＳＳＢ−ＲｅｓｏｕｒｃｅＳｅｔＬｉｓｔサブフィールドの一要素とＣＳＩ−ＳＳＢ−ＲｅｓｏｕｒｃｅＳｅｔ  ＩＥのｃｓｉ−ＳＳＢ−ＲｅｓｏｕｒｃｅＳｅｔＩｄフィールドに同一の値を設定することで行われる。
【００８６】
図８に示すように、ＣＳＩ−ＲｅｓｏｕｒｃｅＣｏｎｆｉｇ  ＩＥのｒｅｓｏｕｒｃｅＴｙｐｅフィールドに「semi-persistent」又は「periodic」が設定される場合、１個のＣＳＩ−ＲｅｓｏｕｒｃｅＣｏｎｆｉｇ  ＩＥは１個の非ゼロ電力ＣＳＩ−ＲＳリソースセット及び／又は１個のＣＳＩ−ＳＳＢリソースセットと関連付けられる。ＣＳＩ−ＲｅｓｏｕｒｃｅＣｏｎｆｉｇ  ＩＥのｒｅｓｏｕｒｃｅＴｙｐｅフィールドに「aperiodic」が設定される場合、１個のＣＳＩ−ＲｅｓｏｕｒｃｅＣｏｎｆｉｇ  ＩＥは１個以上の非ゼロ電力ＣＳＩ−ＲＳリソースセット及び／又は１個以上のＣＳＩ−ＳＳＢリソースセットと関連付けられる。測定対象とする１個の非ゼロ電力ＣＳＩ−ＲＳリソースセット又は１個のＣＳＩ−ＳＳＢリソースセットは、後述するＣＳＩ−ＡｓｓｏｃｉａｔｅｄＲｅｐｏｒｔＣｏｎｆｉｇＩｎｆｏサブフィールドに含まれるｒｅｓｏｕｒｃｅＳｅｔサブフィールド又はｃｓｉ−ＳＳＢ−ＲｅｓｏｕｒｃｅＳｅｔサブフィールドにより、上記１個以上の候補のリソースセットの中から選択される。
【００８７】
ＣＳＩ−ＲＳのアンテナポート数やリソースマッピング等は、非ゼロ電力ＣＳＩ−ＲＳリソースにより設定される。非ゼロ電力ＣＳＩ−ＲＳリソースはＮＺＰ−ＣＳＩ−ＲＳ−Ｒｅｓｏｕｒｃｅ  ＩＥにより設定される。
【００８８】
図１０は、ＮＺＰ−ＣＳＩ−ＲＳ−Ｒｅｓｏｕｒｃｅ  ＩＥに含まれる具体的なパラメータ示す図である。ＣＳＩ−ＲＳのアンテナポート数、物理リソースブロック（PRB：Physical Resource Block）、及びＰＲＢ内のリソースエレメント（RE：Resource Element）のマッピングはＮＺＰ−ＣＳＩ−ＲＳ−Ｒｅｓｏｕｒｃｅ  ＩＥのｒｅｓｏｕｒｃｅＭａｐｐｉｎｇフィールドにより設定される。周期的ＣＳＩ−ＲＳ又は半永続的ＣＳＩ−ＲＳの送信周期及び送信周期内のｓｌｏｔオフセットはＮＺＰ−ＣＳＩ−ＲＳ−Ｒｅｓｏｕｒｃｅ  ＩＥのｐｅｒｉｏｄｉｃｉｔｙＡｎｄＯｆｆｓｅｔフィールドで設定される。
【００８９】
非ゼロ電力ＣＳＩ−ＲＳリソースセットは少なくとも１個の非ゼロ電力ＣＳＩ−ＲＳリソースと関連付けられる。この関連付けは、図６に示すように、ＮＺＰ−ＣＳＩ−ＲＳ−ＲｅｓｏｕｒｃｅＳｅｔ  ＩＥのｎｚｐ−ＣＳＩ−ＲＳ−Ｒｅｓｏｕｒｃｅｓフィールドの一要素とＮＺＰ−ＣＳＩ−ＲＳ−Ｒｅｓｏｕｒｃｅ  ＩＥのｎｚｐ−ＣＳＩ−ＲＳ−ＲｅｓｏｕｒｃｅＩｄフィールドに同一の値を設定することで行われる。
【００９０】
ＮＺＰ−ＣＳＩ−ＲＳ−ＲｅｓｏｕｒｃｅＳｅｔ  ＩＥのｒｅｐｅｔｉｔｉｏｎフィールドに「off」が設定される場合、非ゼロ電力ＣＳＩ−ＲＳリソースセットは、同時にＬ１−ＲＳＲＰの報告が可能な１個以上の非ゼロ電力ＣＳＩ−ＲＳリソースと関連付けられる。当該フィールドに値が設定されない場合は、非ゼロ電力ＣＳＩ−ＲＳリソースセットは、端末が１個を選択可能な１個以上の非ゼロ電力ＣＳＩ−ＲＳリソースと関連付けられる。
【００９１】
−第２の非周期的トリガーステイトに関する情報
第１の実施例では、ＣＳＩ−ＭｅａｓＣｏｎｆｉｇ  ＩＥのａｐｅｒｉｏｄｉｃＴｒｉｇｇｅｒＳｔａｔｅＬｉｓｔフィールドにより１個から１２８個の第２の非周期的トリガーステイトが設定される。１個の第２の非周期的トリガーステイトの構成に関する情報はＣＳＩ−ＡｐｅｒｉｏｄｉｃＴｒｉｇｇｅｒＳｔａｔｅ  ＩＥにより設定され、少なくとも１個のＣＳＩ−ＡｓｓｏｃｉａｔｅｄＲｅｐｏｒｔＣｏｎｆｉｇＩｎｆｏサブフィールドを含む。
【００９２】
また、１個の第２の非周期的トリガーステイトは、少なくとも１個のチャネル状態情報の構成に関する情報と関連付けられる。この関連付けは、図６に示すように、ＣＳＩ−ＡｓｓｏｃｉａｔｅｄＲｅｐｏｒｔＣｏｎｆｉｇＩｎｆｏサブフィールドのｒｅｐｏｒｔＣｏｎｆｉｇＩｄサブフィールドとＣＳＩ−ＲｅｐｏｒｔＣｏｎｆｉｇ  ＩＥのｒｅｐｏｒｔＣｏｎｆｉｇＩｄフィールドに同一の値を設定することで行われる。ここで、ｒｅｐｏｒｔＣｏｎｆｉｇＩｄサブフィールドに設定される値は、上記第２の識別情報に相当する。また、第２の非周期的トリガーステイトと関連付けられたＣＳＩ−ＲｅｐｏｒｔＣｏｎｆｉｇ  ＩＥのｒｅｐｏｒｔＣｏｎｆｉｇＴｙｐｅフィールドには「aperiodic」が設定される。
【００９３】
（第２の非周期的トリガーステイトに基づく非周期的ＣＳＩ報告の送信指示）
第２の非周期的トリガーステイトに基づく非周期的ＣＳＩ報告の送信指示は、基地局により、ＵＬ  ＤＣＩであるＤＣＩ  ｆｏｒｍａｔ  ０＿１のＣＳＩ  ｒｅｑｕｅｓｔフィールドに０以外の値を設定することにより行われる。ここで、当該ＤＣＩフィールドのビット数はＣＳＩ−ＭｅａｓＣｏｎｆｉｇ  ＩＥ内のｒｅｐｏｒｔＴｒｉｇｇｅｒＳｉｚｅフィールドにより０から６の範囲で指定される。上記ＤＣＩフィールドの０以外のビット値は、最大２ｒｅｐｏｒｔＴｒｉｇｇｅｒＳｉｚｅ−１個の非周期的トリガーステイトの候補と対応する。これにより最大６３個の候補から１個の非周期的トリガーステイトを上記ＤＣＩフィールドで選択できる。一方、ＣＳＩ−ＭｅａｓＣｏｎｆｉｇ  ＩＥ内のａｐｅｒｉｏｄｉｃＴｒｉｇｇｅｒＳｔａｔｅＬｉｓｔフィールドには最大１２８個の非周期的トリガーステイトを設定することが可能である。そのため、設定された非周期的トリガーステイトの個数が６３を超える場合はＭＡＣ−ＣＥ（Medium Access Control-Control Element）で最大６３個が選択される。
【００９４】
ＵＬ  ＤＣＩに非周期的ＣＳＩ報告の指示情報が含まれる場合、上記第２のチャネル状態情報の構成は、指示された非周期的トリガーステイトに関連付けられたＣＳＩ−ＲｅｐｏｒｔＣｏｎｆｉｇ  ＩＥに従う。また、測定対象のＣＳＩ−ＲＳ及び／又はＳＳ／ＰＢＣＨ  ｂｌｏｃｋに関する設定は、当該ＣＳＩ−ＲｅｐｏｒｔＣｏｎｆｉｇ  ＩＥに連鎖的に関連付けられたＣＳＩ−ＲｅｓｏｕｒｃｅＣｏｎｆｉｇ  ＩＥ、ＮＺＰ−ＣＳＩ−ＲＳ−ＲｅｓｏｕｒｃｅＳｅｔ  ＩＥ、ＣＳＩ−ＳＳＢ−ＲｅｓｏｕｒｃｅＳｅｔ  ＩＥ、及び／又はＮＺＰ−ＣＳＩ−ＲＳ−Ｒｅｓｏｕｒｃｅ  ＩＥに従う。
【００９５】
−第１の非周期的トリガーステイトに関する情報
上記第１の非周期的トリガーステイトの構成に関する情報は、ＣＳＩ−ＡｐｅｒｉｏｄｉｃＯｎＰＵＣＣＨＴｒｉｇｇｅｒＳｔａｔｅ  ＩＥを用いて設定される。ここで、ＣＳＩ−ＡｐｅｒｉｏｄｉｃＯｎＰＵＣＣＨＴｒｉｇｇｅｒＳｔａｔｅ  ＩＥのｃｓｉ−ＡｐｅｒｉｏｄｉｃＴｒｉｇｇｅｒＳｔａｔｅＩｄフィールドと、ＣＳＩ−ＡｐｅｒｉｏｄｉｃＴｒｉｇｇｅｒＳｔａｔｅ  ＩＥのｃｓｉ−ＡｐｅｒｉｏｄｉｃＴｒｉｇｇｅｒＳｔａｔｅＩｄフィールドに同一の値が設定される。ｃｓｉ−ＡｐｅｒｉｏｄｉｃＴｒｉｇｇｅｒＳｔａｔｅＩｄは上記第１の識別情報に相当する。すなわち、上記のようにｃｓｉ−ＡｐｅｒｉｏｄｉｃＴｒｉｇｇｅｒＳｔａｔｅＩｄを設定することにより、ｃｓｉ−ＡｐｅｒｉｏｄｉｃＴｒｉｇｇｅｒＳｔａｔｅＩｄは、複数の第２の非周期的トリガーステイトの中から第１の非周期的トリガーステイトに対応する第２の非周期的トリガーステイトを識別するための情報として捉えることができる。このようにして、第１の非周期的トリガーステイトと第２の非周期的トリガーステイトとで共通の非周期的トリガーステイトが使用されることになる。
【００９６】
このようにして共通の非周期的トリガーステイトが使用される場合、当該非周期的トリガーステイトに関連付けられた同一のチャネル状態情報の構成に関する情報が選択される。すなわち、上記第１の非周期的トリガーステイトに関連付けられたＣＳＩ−ＲｅｐｏｒｔＣｏｎｆｉｇ  ＩＥは、上記第１の非周期的トリガーステイトに関連付けられた第２の非周期的トリガーステイトの構成に関する情報が設定されるＣＳＩ−ＡｐｅｒｉｏｄｉｃＴｒｉｇｇｅｒＳｔａｔｅ  ＩＥのｒｅｐｏｒｔＣｏｎｆｉｇＩｄサブフィールドにより識別される。
【００９７】
（第１の非周期的トリガーステイトに基づく非周期的ＣＳＩ報告の送信指示）
第１の非周期的トリガーステイトに基づいたＣＳＩ報告の送信指示をＤＬ  ＤＣＩを用いて行う場合、例えばＤＣＩ  ｆｏｒｍａｔ  １＿０及び／又はＤＣＩ  ｆｏｒｍａｔ  １＿１に第１の非周期的トリガーステイトに基づいたＣＳＩ報告の送信指示を行うためのＤＣＩフィールドが含まれてもよい。また、基地局１００は、当該ＤＣＩフィールドに０以外の値を設定することで、端末装置に第１の非周期的ＣＳＩ報告の送信を指示してもよい。
【００９８】
上記ＤＣＩフィールドのビット数は、ＵＬ  ＤＣＩで第２の非周期的トリガーステイトに基づいたＣＳＩ報告の送信指示を行う場合と同様に、ＣＳＩ−ＭｅａｓＣｏｎｆｉｇ  ＩＥのｒｅｐｏｒｔＴｒｉｇｇｅｒＳｉｚｅフィールドにより決定されてもよい。また、上記ＵＬ  ＤＣＩフィールドのビット数は異なる上位レイヤパラメータにより決定されてもよい。例えば、図１１に示すように上記ＤＣＩフィールドのビット数が、ｒｅｐｏｒｔＯｎＰＵＣＣＨＴｒｉｇｇｅｒＳｉｚｅフィールドに応じて決定されてもよい。図１１は、ＤＣＩに含まれるＣＳＩ  ｒｅｑｕｅｓｔフィールドのビット数について説明するための図である。
【００９９】
以上のようにして、第１の実施例によれば、第１の非周期的トリガーステイトの集合は、第２の非周期的トリガーステイトの集合に対する部分集合となる。これにより、ＲＲＣメッセージのオーバヘッドの増加を抑制することができる。
【０１００】
（３）第２の具体例
また、第２の具体例として、上記非周期的トリガーステイトの構成に関する前記情報は、上記第２の非周期的トリガーステイトの構成に関する上記情報に関連付けられていない情報であってもよい。
【０１０１】
図１２は、第２の具体例に係るＣＳＩフレームワークの上位パラメータＣＳＩ−ＭｅａｓＣｏｎｆｉｇ  ＩＥを概略的に示す図である。
【０１０２】
第２の具体例に係るＣＳＩフレームワークの上位パラメータＣＳＩ−ＭｅａｓＣｏｎｆｉｇ  ＩＥは、次の点で、上述した第１の具体例に係るＣＳＩフレームワークの上位パラメータＣＳＩ−ＭｅａｓＣｏｎｆｉｇ  ＩＥと異なる。すなわち、上記第１の非周期的トリガーステイトの構成に関する情報が設定されるＣＳＩ−ＡｐｅｒｉｏｄｉｃＯｎＰＵＣＣＨＴｒｉｇｇｅｒＳｔａｔｅ  ＩＥは、ａｓｓｏｃｉａｔｅｄＲｅｐｏｒｔＣｏｎｆｉｇＩｎｆｏフィールドを含む。これにより、ＣＳＩ−ＡｐｅｒｉｏｄｉｃＯｎＰＵＣＣＨＴｒｉｇｇｅｒＳｔａｔｅ  ＩＥは、上記第２の非周期的トリガーステイトの構成に関する情報が設定されているＣＳＩ−ＡｐｅｒｉｏｄｉｃＴｒｉｇｇｅｒＳｔａｔｅ  ＩＥに関連付けられていない。
【０１０３】
とりわけ、第２の具体例では、上記第１の非周期的トリガーステイトの構成に関する上記情報は、上記第１の非周期的トリガーステイトに対応する第１のチャネル状態情報の構成に関する情報を識別する第３の識別情報を含む。具体的には、ＣＳＩ−ＡｐｅｒｉｏｄｉｃＯｎＰＵＣＣＨＴｒｉｇｇｅｒＳｔａｔｅ  ＩＥのｒｅｐｏｒｔＣｏｎｆｉｇＩｄサブフィールドとＣＳＩ−ＲｅｐｏｒｔＣｏｎｆｉｇ  ＩＥのｒｅｐｏｒｔＣｏｎｆｉｇＩｄフィールドに同一の値を設定することで、第１の非周期的トリガーステイトの構成に関する情報と上記第１のチャネル状態情報に関する構成が関連付けられる。すなわち、ＣＳＩ−ＡｐｅｒｉｏｄｉｃＯｎＰＵＣＣＨＴｒｉｇｇｅｒＳｔａｔｅ  ＩＥのｒｅｐｏｒｔＣｏｎｆｉｇＩｄサブフィールドは、上記第３の識別情報に相当する。
【０１０４】
なお、ａｓｓｏｃｉａｔｅｄＲｅｐｏｒｔＣｏｎｆｉｇＩｎｆｏフィールドに含まれるサブフィールドの定義は、ＣＳＩ−ＡｐｅｒｉｏｄｉｃＴｒｉｇｇｅｒＳｔａｔｅ  ＩＥのＣＳＩ−ＡｓｓｏｃｉａｔｅｄＲｅｐｏｒｔＣｏｎｆｉｇＩｎｆｏサブフィールドに含まれるサブフィールドの定義と同一であってもよい。すなわち、ａｓｓｏｃｉａｔｅｄＲｅｐｏｒｔＣｏｎｆｉｇＩｎｆｏフィールドは、上記ｒｅｐｏｒｔＣｏｎｆｉｇＩｄサブフィールドの他に、ｒｅｓｏｕｒｃｅＳｅｔサブフィールド又はｃｓｉ−ＳＳＢ−ＲｅｓｏｕｒｃｅＳｅｔサブフィールドを含んでもよい。
【０１０５】
（４）処理の流れ
図１３を参照して、第１の実施形態に係るＲＲＣメッセージのシグナリング処理の流れの例を説明する。図１３は、第１の実施形態に係るＲＲＣメッセージのシグナリング処理の概略的な流れの例を説明するためのフローチャートである。
【０１０６】
ステップＳ１３０１において、基地局１００（取得部１４１）は、上記第１の非周期的トリガーステイトの構成に関する上記情報を取得する。ステップＳ１３０３において、基地局１００（取得部１４１）は、上記第１の非周期的トリガーステイトの構成に関する上記情報を含むＲＲＣメッセージを端末装置２００に送信する。ステップＳ１３０５において、端末装置２００（受信処理部２３１）は、上記第１の非周期的トリガーステイトの構成に関する上記情報を含むＲＲＣメッセージを基地局１００から受信する。ステップＳ１３０７において、端末装置２００（送信処理部２３３）は、上記第１の非周期的トリガーステイトの構成に関する情報に基づいて、基地局１００からの上記第１のチャネル状態情報の測定に関する情報などを特定し、特定した情報を用いて上記第１のチャネル状態情報を基地局１００に報告（送信）する。
【０１０７】
（５）第１の非周期的トリガーステイトに応じたＣＳＩ報告の内容
上記第１のチャネル状態情報は、上記第２のチャネル状態情報により特定されるチャネル状態を基準とする更新内容に関する情報を含んでもよい。
【０１０８】
例えば、ＤＬ  ＤＣＩにより指示されるＣＳＩ報告に含まれる上記第１のチャネル状態情報は、端末装置により前回送信されたＣＳＩ報告により特定されるチャネル状態を基準とする更新内容を示す付加情報であってもよい。
【０１０９】
図１４は、ＵＬ  ＤＣＩ及びＤＬ  ＤＣＩによる非周期的ＣＳＩ報告の指示について説明するための図である。図１４に示すように、初めにＵＬ  ＤＣＩで上記第２の非周期的トリガーステイトに基づいて指示されるＣＳＩ報告（上記第２のチャネル状態情報）がＰＵＳＣＨで送信される。次に、ＤＬ  ＤＣＩで上記第１の非周期的トリガーステイトに基づいて指示されるＣＳＩ報告に含まれる上記第１のチャネル状態情報がＰＵＣＣＨで送信されてもよい。この例では、ＰＵＣＣＨで送信されるＣＳＩ報告に含まれる上記第１のチャネル状態情報は、ＰＵＳＣＨで送信されたＣＳＩ報告に含まれる上記第２のチャネル状態情報により特定されるチャネル状態を基準とする更新内容を示す付加情報となる。
【０１１０】
なお、上記前回送信されたＣＳＩ報告は、ＤＬ  ＤＣＩと同一の非周期的トリガーステイトを用いてＵＬ  ＤＣＩで指示されたＣＳＩ報告に限定されるものではない。例えば、上記前回送信されたＣＳＩ報告は、周期的ＣＳＩ報告及び半永続的ＣＳＩ報告を含む全てのＣＳＩ報告の中で、端末装置２００により最後に送信されたＣＳＩ報告であってもよい。
【０１１１】
（５−１）ＣＱＩ及びＰＭＩが含まれる場合の例
上記更新内容に関する上記情報は、上記第２のチャネル状態情報により特定されるＣＱＩを基準とするＣＱＩの差分に関する情報（以下、差分ＣＱＩ情報ともいう。）を含んでもよい。
【０１１２】
また、上記更新内容に関する上記情報は、上記第２のチャネル状態情報により特定されるＰＭＩを基準とするＰＭＩの一部分に関する情報（以下、部分的ＰＭＩ情報とも呼ぶ。）を含んでもよい。
【０１１３】
さらに、上記第１の非周期的トリガーステイトに関する上記情報は、上記更新内容に関する上記情報を表すビット数に関する情報を含んでもよい。
【０１１４】
−具体例
Ｗｉｄｅｂａｎｄ  ＣＱＩ及びＷｉｄｅｂａｎｄ  ＰＭＩが報告される場合、図７に示すようなＣＳＩ−ＲｅｐｏｒｔＣｏｎｆｉｇ  ＩＥのｒｅｐｏｒｔＱｕａｎｔｉｔｙフィールドに応じて、ＣＲＩ、ＲＩ、ＬＩ、Ｗｉｄｅｂａｎｄ  ＰＭＩ  ｉ１、Ｗｉｄｅｂａｎｄ  ＰＭＩ  ｉ２、及び／又はＷｉｄｅｂａｎｄ  ＣＱＩが報告される。このとき、ＣＳＩ報告のフォーマットは、表１に従う。
【０１１５】
【表１】
2020090573.tif 000003
【０１１６】
（ＣＱＩ）
ここで、上記第２のチャネル状態情報に含まれるＷｉｄｅｂａｎｄ  ＣＱＩは、例えば表２のように４ビットのＣＱＩインデックスで表される。ＣＱＩインデックスは、端末装置２００が所定のブロック誤り率を達成可能な変調方式及び符号化率を特定するためのインデックスである。
【０１１７】
【表２】
2020090573.tif 000004
【０１１８】
一方、上記第１のチャネル状態情報により、端末装置２００により前回送信された上記第２のチャネル状態情報に含まれるＣＱＩインデックスを基準とした、差分ＣＱＩインデックス（差分ＣＱＩ情報）が報告されてもよい。例えば、２ビットの差分ＣＱＩが報告され、各々の値が表３のように差分ＣＱＩインデックスと対応してもよい。
【０１１９】
【表３】
2020090573.tif 000005
【０１２０】
ここで、上記第１のチャネル状態情報に含まれるＣＱＩ以外の情報は端末装置２００により前回送信されたＣＳＩ報告に含まれる情報と同一であると仮定されてもよい。また、上記第１のチャネル状態情報に部分的ＰＭＩ情報が含まれる場合は、上記差分ＣＱＩ情報は当該部分的ＰＭＩ情報から決定されるプリコーディング行列の適用を仮定して生成されてもよい。
【０１２１】
基地局１００は、ＰＤＳＣＨに対するＮＡＣＫ（Negative ACKnowledgement）と共にＣＳＩ報告に含まれる上記第１のチャネル状態情報を受信した場合に、報告された差分ＣＱＩインデックス（上記差分ＣＱＩ情報）の値を考慮してＰＤＳＣＨの再送時に使用されるＭＣＳ、ＰＲＢ数、及びＯＦＤＭシンボル数を決定してもよい。
【０１２２】
基地局１００は、例えば、「差分ＣＱＩインデックス≧１」の条件を満たす差分ＣＱＩ情報を受信した場合、符号化率が前回送信時と比較して高くなるようなＭＣＳ、ＰＲＢ数、及びＯＦＤＭシンボル数を用いてＰＤＳＣＨの再送を行ってもよい。また、基地局１００は、「差分ＣＱＩインデックス≦−２」の条件を満たす差分ＣＱＩ情報を受信した場合、符号化率が前回送信時と比較して低くなるようなＭＣＳ、ＰＲＢ数、及びＯＦＤＭシンボル数を用いてＰＤＳＣＨの再送を行ってもよい
【０１２３】
また、上記第１のチャネル状態情報に含まれる差分ＣＱＩ情報は、表４のように１ビットの差分ＣＱＩインデックスであってもよい。この場合、ビット値が１のときは前回報告時と比較してＣＱＩが劣化すること示す。このとき、基地局１００は、「差分ＣＱＩインデックス≦−１」の条件を満たす差分ＣＱＩ情報を受信した場合に、符号化率が前回送信時と比較して低くなるようなＭＣＳ、ＰＲＢ数、及びＯＦＤＭシンボル数を用いてＰＤＳＣＨの再送を行ってもよい。
【０１２４】
【表４】
2020090573.tif 000006
【０１２５】
また、上記差分ＣＱＩ情報のビット数は、非周期的トリガーステイトごとに設定される上位レイヤパラメータ（上記第１の非周期的トリガーステイトの構成に関する情報）によって決定されてもよい。例えば、上記差分ＣＱＩ情報のビット数は、図６及び図１２で例示されるＣＳＩ−ＡｐｅｒｉｏｄｉｃＯｎＰＵＣＣＨＴｒｉｇｇｅｒＳｔａｔｅ  ＩＥ内のｒｅｐｏｒｔＭｏｄｅフィールドによって決定されてもよい。
【０１２６】
具体的には、ｒｅｐｏｒｔＭｏｄｅフィールドに「ｍｏｄｅ１」が設定される場合は１ビットの差分ＣＱＩ情報が報告され、「ｍｏｄｅ２」が設定される場合は２ビットの差分ＣＱＩ情報が報告されてもよい。
【０１２７】
（ＰＭＩ）
上記第２のチャネル状態情報に含まれるｗｉｄｅｂａｎｄ  ＰＭＩ  ｉ１及びｉ２は、プリコーディング行列を特定するためのインデックスである。例えば、ｗｉｄｅｂａｎｄ  ＰＭＩ  ｉ１及びｉ２の詳細は、上述した文献１のSection 5.2.2.2.1に記載されている。プリコーディング行列内において、ｉ１は長周期で変動し得る成分を特定するためのインデックスと解釈されてもよいし、ｉ２は短周期で変動し得る成分を特定するためのインデックスと解釈されてもよい。
【０１２８】
一方、上記第１のチャネル状態情報に含まれる部分的ＰＭＩ情報は、ｉ２であってもよい。ｉ２のビット数は、表５のように、前回送信されたＣＳＩ報告に含まれるＲＩに基づくランク、及びＣＳＩ−ＲｅｐｏｒｔＣｏｎｆｉｇ  ＩＥに含まれるｃｏｄｅｂｏｏｋＭｏｄｅサブフィールドに応じて決定されてもよい。
【０１２９】
【表５】
2020090573.tif 000007
【０１３０】
また、上記第１のチャネル状態情報に含まれる部分的ＰＭＩ情報は、ｃｏ−ｐｈａｓｉｎｇ  ｆａｃｔｏｒ  ｎのみを含んでもよい。ここで、ｃｏ−ｐｈａｓｉｎｇ  ｆａｃｔｏｒ  ｎはプリコーディング行列内の所定の要素に乗じられる複素係数であり、例えば、数１で表される。
【０１３１】
【数１】
2020090573.tif 000008
【０１３２】
ＮＲリリース１５で規定されるｎの範囲は、ランク＝１の場合は０、１、２、又は３であり、ランク＞１の場合は０又は１である。詳細は、例えば上記の文献１のSection 5.2.2.2.1に記載されている。また、上記部分的ＰＭＩ情報がｃｏ−ｐｈａｓｉｎｇ  ｆａｃｔｏｒ  ｎのみ含む場合、表６のように、前回送信されたＣＳＩ報告に含まれるＲＩに基づくランクに従って最大２ビットの部分的ＰＭＩ情報が報告されてもよい。
【０１３３】
【表６】
2020090573.tif 000009
【０１３４】
また、上記部分的ＰＭＩ情報のビット数は、非周期的トリガーステイトごとに設定される上位レイヤパラメータ（上記第１の非周期的トリガーステイトの構成に関する情報）によって決定されてもよい。例えば、上記部分的ＰＭＩ情報のビット数は、図６及び図１２で例示されるＣＳＩ−ＡｐｅｒｉｏｄｉｃＯｎＰＵＣＣＨＴｒｉｇｇｅｒＳｔａｔｅ  ＩＥ内のｒｅｐｏｒｔＭｏｄｅフィールドによって決定されてもよい。具体的には、ｒｅｐｏｒｔＭｏｄｅフィールドに「ｍｏｄｅ１」が設定される場合は、表５に示すビット数の部分的ＰＭＩ情報が報告され、「ｍｏｄｅ２」が設定される場合は、表６に示すビット数の部分的ＰＭＩ情報が報告されてもよい。
【０１３５】
（更新内容に関する情報の有無）
上記第１の非周期的トリガーステイトに関する前記情報は、上記第１のチャネル状態情報に上記更新内容に関する上記情報が含まれるか否かに関する情報を含んでもよい。すなわち、上記第１のチャネル状態情報に差分ＣＱＩ情報及び部分的ＰＭＩ情報の両方又はいずれか一方を含めることを、上位レイヤパラメータにより指示してもよい。例えば、この指示は、図６及び図１２で例示されるＣＳＩ−ＡｐｅｒｉｏｄｉｃＯｎＰＵＣＣＨＴｒｉｇｇｅｒＳｔａｔｅ  ＩＥ内のｒｅｐｏｒｔｅｄＣｑｉＰｍｉフィールドによって行われてもよい。具体的には、ｒｅｐｏｒｔｅｄＣｑｉＰｍｉフィールドに「ｃｑｉ」が設定される場合は差分ＣＱＩ情報のみが上記第１のチャネル状態情報に含まれる。「ｐｍｉ」が設定される場合は部分的ＰＭＩ情報のみが上記第１のチャネル状態情報に含まれる。「ｃｑｉＰｍｉ」が設定される場合は差分ＣＱＩ情報と部分的ＰＭＩ情報の両方が上記第１のチャネル状態情報に含まれる。
【０１３６】
上記第１のチャネル状態情報が部分的ＰＭＩ情報のみを含む場合、端末装置２００は、ＣＱＩインデックスが最大となるような部分的ＰＭＩ情報を含む上記第１のチャネル状態情報を送信してもよい。差分ＣＱＩ情報及び部分的ＰＭＩ情報の両方が上記第１のチャネル状態情報に含まれる場合には、差分ＣＱＩ情報及び部分的ＰＭＩ情報のビットは連接により多重化されてもよい。
【０１３７】
（５−２）Ｌ１−ＲＳＲＰが含まれる場合の例
上記更新内容に関する上記情報は、上記第２のチャネル状態情報により特定されるＬ１−ＲＳＲＰを基準とするＬ１−ＲＳＲＰの順序に関する情報（以下、Ｌ１−ＲＳＲＰ順序情報ともいう。）を含んでもよい。
【０１３８】
−具体例
Ｌ１−ＲＳＲＰは、例えば、ＣＳＩ−ＲｅｐｏｒｔＣｏｎｆｉｇ  ＩＥのｒｅｐｏｒｔＱｕａｎｔｉｔｙフィールドに「ｃｒｉ−ＲＳＲＰ」又は「ｓｓｂ−Ｉｎｄｅｘ−ＲＳＲＰ」が設定されているときに報告される。Ｌ１−ＲＳＲＰは、ＣＳＩ−ＲＳ又はＳＳ／ＰＢＣＨ  ｂｌｏｃｋの受信電力を表し、端末装置２００が好適なダウンリンク送信ビームを報告するために用いられうる。
【０１３９】
ＵＬ  ＤＣＩにより上記第２のチャネル状態情報の送信指示が行われる場合、端末装置２００は、ＣＳＩ−ＲｅｐｏｒｔＣｏｎｆｉｇ  ＩＥのｎｒｏｆＲｅｐｏｒｔｅｄＲＳサブフィールドの設定値に応じて、１〜４個の非ゼロ電力ＣＳＩ−ＲＳリソース又はＳＳ／ＰＢＣＨ  ｂｌｏｃｋに対応するＣＲＩ又はＳＳＢＲＩと共にＬ１−ＲＳＲＰを報告する。ここで、当該設定値に応じた個数より多くの非ゼロ電力ＣＳＩ−ＲＳリソース又はＳＳ／ＰＢＣＨ  ｂｌｏｃｋが設定されている場合、端末装置２００は、設定された候補の中から１〜４個を選択する。このとき、上記第１のチャネル状態情報を含むＣＳＩ報告のフォーマットは、表７に従う。
【０１４０】
【表７】
2020090573.tif 000010
【０１４１】
１番目のＣＲＩ又はＳＳＢＲＩは、Ｌ１−ＲＳＲＰが最大となる非ゼロ電力ＣＳＩ−ＲＳリソース又はＳＳ／ＰＢＣＨ  ｂｌｏｃｋに対応する。Ｌ１−ＲＳＲＰは、−１４０ｄＢｍから−４４ｄＢｍの範囲において、１ｄＢを刻み幅として７ビットの値で報告される。２番目から４番目のＣＲＩ又はＳＳＢＲＩに対応するＬ１−ＲＳＲＰは、１番目のＣＲＩ又はＳＳＢＲＩに対応するＬ１−ＲＳＲＰとの差分値であり、２ｄＢを刻み幅として４ビットの値で報告される。
【０１４２】
ここで、ＤＬ  ＤＣＩにより上記第１の非周期的トリガーステイトに基づいて上記第１のチャネル状態情報の送信が指示される場合、上記第１のチャネル状態情報に含まれる上記Ｌ１−ＲＳＲＰ順序情報は、表８に示すように、端末装置２００により最後に報告された上記１〜４個のＣＲＩ又はＳＳＢＲＩのうち、Ｌ１−ＲＳＲＰが最大となる１個のＣＲＩ又はＳＳＢＲＩを識別するビット値であってもよい。この場合、ＣＳＩ−ＲｅｐｏｒｔＣｏｎｆｉｇ  ＩＥのｎｒｏｆＲｅｐｏｒｔｅｄＲＳサブフィールドに基づく同時報告可能なＣＲＩ又はＳＳＢＲＩの個数をＮとしたとき、ｃｅｉｌ（ｌｏｇ２Ｎ）ビットを、上記Ｌ１−ＲＳＲＰ順序情報のビット数としてもよい。例えば、Ｎ＝２の場合、１ビットとなる。
【０１４３】
【表８】
2020090573.tif 000011
【０１４４】
また、上記Ｌ１−ＲＳＲＰ順序情報は、表９に示すように、端末装置２００により最後に報告された１番目及び２番目のＣＲＩ又はＳＳＢＲＩのうち、Ｌ１−ＲＳＲＰが最大となる１個のＣＲＩ又はＳＳＢＲＩを識別するビット値であってもよい。
【０１４５】
【表９】
2020090573.tif 000012
【０１４６】
上記Ｌ１−ＲＳＲＰ順序情報のビット数は、非周期的トリガーステイトごとに設定される上位レイヤパラメータ（上記第１の非周期的トリガーステイトの構成に関する情報）によって決定されてもよい。例えば、Ｌ１−ＲＳＲＰ順序情報のビット数は、図６及び図１２で例示されるＣＳＩ−ＡｐｅｒｉｏｄｉｃＯｎＰＵＣＣＨＴｒｉｇｇｅｒＳｔａｔｅ  ＩＥ内のｒｅｐｏｒｔＭｏｄｅフィールドによって決定されてもよい。具体的には、ｒｅｐｏｒｔＭｏｄｅフィールドに「ｍｏｄｅ１」が設定される場合は１ビットのＬ１−ＲＳＲＰ順序情報が報告され、「ｍｏｄｅ２」が設定される場合は２ビットのＬ１−ＲＳＲＰ順序情報が報告されてもよい。
【０１４７】
図１５は、Ｌ１−ＲＳＲＰが報告される場合のダウンリンク送信ビームについて説明するための図である。例えば、図１５（ａ）に示すように端末装置が移動し、Ｌ１−ＲＳＲＰが最大となるダウンリンク送信ビームが切り替わる場合を想定する。ここで、前回のＣＳＩ報告で端末装置は、例えば図１５（ｂ）に示すように、ＡからＤの４個のＣＲＩ又はＳＳＢＲＩに対するＬ１−ＲＳＲＰを報告したものと仮定する。その後、端末装置の移動によりＬ１−ＲＳＲＰが最大となるダウンリンク送信ビームがＡからＢに切り替わる場合、ＤＬ  ＤＣＩに上記第１の非周期的トリガーステイトに基づいて上記第１のチャネル状態情報の報告を指示する指示情報が含まれるものとする。この場合には、例えば図１５（ｃ）に示すように、上記第１のチャネル状態情報の報告において「１」のビット値が報告される。これは、前回報告されたＡからＤの４個のＣＲＩ又はＳＳＢＲＩのうち、２番目のＣＲＩ又はＳＳＢＲＩであるＢに対するＬ１−ＲＳＲＰが最大であることを表す。これにより、基地局１００は、端末装置２００に好適なダウンリンク送信ビームがＡからＢに切り替わったことを認識することができる。基地局１００は、この結果に基づいて次回のＰＤＳＣＨの送信に用いるダウンリンク送信ビームを瞬時に切り替えてもよい。また、基地局１００は、ＵＬ  ＤＣＩにより上記第２の非周期的トリガーステイトに基づく上記第２のチャネル状態情報の報告の送信指示を行い、切替え後のダウンリンク送信ビームに対するＲＩ、ＣＱＩ、及び／又はＰＭＩを含むＣＳＩ報告を、端末装置２００に送信させるようにしてもよい。
【０１４８】
＜＜４．第２の実施形態＞＞
続いて、図１６及び図１７を参照して、本発明の第２の実施形態を説明する。上述した第１の実施形態は、具体的な実施形態であるが、第２の実施形態は、より一般化された実施形態である。
【０１４９】
＜４．１．基地局の構成＞
図１６を参照して、第２の実施形態に係る基地局１００の構成の例を説明する。図１６は、第２の実施形態に係る基地局１００の概略的な構成の例を示すブロック図である。図１６を参照すると、基地局１００は、取得部１５１及び送信処理部１５３を備える。
【０１５０】
取得部１５１及び送信処理部１５３の具体的な動作は、後に説明する。
【０１５１】
取得部１５１及び送信処理部１５３は、ベースバンド（ＢＢ）プロセッサ及び／又は他のプロセッサ等により実装されてもよい。取得部１５１及び送信処理部１５３は、同一のプロセッサにより実装されてもよく、別々に異なるプロセッサにより実装されてもよい。
【０１５２】
基地局１００は、プログラムを記憶するメモリと、当該プログラムを実行可能な１つ以上のプロセッサとを含んでもよく、当該１つ以上のプロセッサは、取得部１５１及び送信処理部１５３の動作を行ってもよい。上記プログラムは、取得部１５１及び送信処理部１５３の動作を上記１つ以上のプロセッサに実行させるためのプログラムであってもよい。
【０１５３】
＜４．２．端末装置の構成＞
図１７を参照して、第２の実施形態に係る端末装置２００の構成の例を説明する。図１７は、第２の実施形態に係る端末装置２００の概略的な構成の例を示すブロック図である。図１７を参照すると、端末装置２００は、受信処理部２４１及び送信処理部２４３を備える。
【０１５４】
受信処理部２４１及び送信処理部２４３の具体的な動作は、後に説明する。
【０１５５】
受信処理部２４１及び送信処理部２４３は、ベースバンド（ＢＢ）プロセッサ及び／又は他のプロセッサ等により実装されてもよい。受信処理部２４１及び送信処理部２４３は、同一のプロセッサにより実装されてもよく、別々に異なるプロセッサにより実装されてもよい。
【０１５６】
端末装置２００は、プログラムを記憶するメモリと、当該プログラムを実行可能な１つ以上のプロセッサとを含んでもよく、当該１つ以上のプロセッサは、受信処理部２４１及び送信処理部２４３の動作を行ってもよい。上記プログラムは、受信処理部２４１及び送信処理部２４３の動作を上記１つ以上のプロセッサに実行させるためのプログラムであってもよい。
【０１５７】
＜４．３．技術的特徴＞
次に、第２の実施形態の技術的特徴を説明する。上述した第１の実施形態は、具体的な実施形態であるが、第２の実施形態は、より一般化された実施形態である。
【０１５８】
−基地局
基地局１００（取得部１５１）は、端末装置２００がＰＵＣＣＨ（Physical Uplink Control Channel）を用いて第１のチャネル状態情報を非周期的に報告するための第１の非周期的トリガーステイトの構成に関する情報を取得する。そして、基地局１００（送信処理部１５３）は、上記第１の非周期的トリガーステイトの構成に関する上記情報を含むＲＲＣ（Radio Resource Control）メッセージを、端末装置２００に送信する。
【０１５９】
取得部１５１は、上述した第１の実施形態に係る取得部１４１の動作と同一の動作を行ってもよい。また、送信処理部１５３は、上述した第１の実施形態に係る送信処理部１４３の動作と同一の動作を行ってもよい。
【０１６０】
−端末装置
端末装置２００（受信処理部２４１）は、上記第１の非周期的トリガーステイトの構成に関する上記情報を含む上記ＲＲＣ（Radio Resource Control）メッセージを、基地局１００から受信する。そして、端末装置２００（送信処理部２４３）は、上記第１の非周期的トリガーステイトの構成に関する上記情報に基づき、ＰＵＣＣＨを用いて上記第１のチャネル状態情報を基地局１００に送信する。
【０１６１】
受信処理部２４１は、上述した第１の実施形態に係る受信処理部２３１の動作と同一の動作を行ってもよい。また、送信処理部２４３は、上述した第１の実施形態に係る送信処理部２３３の動作と同一の動作を行ってもよい。
【０１６２】
以上のようにして、上記第１の非周期的トリガーステイトの構成に関する上記情報を含む上記ＲＲＣ（Radio Resource Control）メッセージが基地局１００から端末装置２００に送信される。このようにして、ＰＵＣＣＨを用いた非周期的なチャネル状態情報を報告するための構成に関する情報を、適切に基地局１００から端末装置２００にシグナリングすることが可能になる。
【０１６３】
＜＜５．他の形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１６４】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１６５】
また、本明細書において説明した基地局１００の構成要素（例えば、取得部、送信処理部、及び／又は受信処理部）を備える装置（例えば、基地局を構成する複数の装置（又はユニット）のうちの１つ以上の装置（又はユニット）、又は上記複数の装置（又はユニット）のうちの１つのためのモジュール）が提供されてもよい。本明細書において説明した端末装置の構成要素（例えば、送信処理部、及び／又は受信処理部）を備える装置（例えば、端末装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory computer readable medium）が提供されてもよい。当然ながら、このような装置、モジュール、方法、プログラム、及びコンピュータに読み取り可能な非一時的記録媒体も本発明に含まれる。
【０１６６】
上記実施形態の一部又は全部は、以下の付記のようにも記載され得るが、以下には限られない。
【０１６７】
（付記１）
端末装置がＰＵＣＣＨ（Physical Uplink Control Channel）を用いて第１のチャネル状態情報を非周期的に報告するための第１の非周期的トリガーステイトの構成に関する情報を取得する取得部と、
前記第１の非周期的トリガーステイトの構成に関する前記情報を含むＲＲＣ（Radio Resource Control）メッセージを、前記端末装置に送信する送信処理部と、を備える基地局。
【０１６８】
（付記２）
前記取得部は、前記端末装置がＰＵＳＣＨ（Physical Uplink Shared Channel）を用いて第２のチャネル状態情報を非同期で報告するための第２の非周期的トリガーステイトの構成に関する情報を更に取得し、
前記送信処理部は、前記第１の非周期的トリガーステイトの構成に関する前記情報と前記第２の非周期的トリガーステイトの構成に関する前記情報とを含むＲＲＣ（Radio Resource Control）メッセージを、前記端末装置に送信する付記１記載の基地局。
【０１６９】
（付記３）
前記第１の非周期的トリガーステイトの構成に関する前記情報は、複数の非周期的トリガーステイトの候補の中から前記第１の非周期的トリガーステイトを識別する第１の識別情報を含む、付記２記載の基地局。
【０１７０】
（付記４）
前記取得部は、複数の第２の非周期的トリガーステイトの構成に関する情報を取得し、
前記第１の識別情報は、前記複数の第２の非周期的トリガーステイトの中から前記第１の非周期的トリガーステイトに関連付けられた第２の非周期的トリガーステイトを識別するための情報である、付記３記載の基地局。
【０１７１】
（付記５）
前記第２の非周期的トリガーステイトの構成に関する前記情報は、前記第２の非周期的トリガーステイトに関連付けられた第２のチャネル状態情報の構成に関する情報を識別する第２の識別情報を含み、
前記第１の非周期的トリガーステイトに関連付けられた第１のチャネル状態情報の構成に関する情報は、前記第１の非周期的トリガーステイトに関連付けられた第２の非周期的トリガーステイトの構成に関する前記情報に含まれる前記第２の識別情報に基づいて識別される、付記４記載の基地局。
【０１７２】
（付記６）
前記第１の非周期的トリガーステイトの構成に関する前記情報は、前記第２の非周期的トリガーステイトの構成に関する前記情報に関連付けられていない情報である、付記２記載の基地局。
【０１７３】
（付記７）
前記第１の非周期的トリガーステイトの構成に関する前記情報は、前記第１の非周期的トリガーステイトに対応する第１のチャネル状態情報の構成に関する情報を識別する第３の識別情報を含む、付記６記載の基地局。
【０１７４】
（付記８）
前記第１のチャネル状態情報は、前記第２のチャネル状態情報により特定されるチャネル状態を基準とする更新内容に関する情報を含む、付記２乃至７のうち何れか１項記載の基地局。
【０１７５】
（付記９）
前記更新内容に関する前記情報は、前記第２のチャネル状態情報により特定されるＣＱＩ（Channel Quality Indicator）を基準とするＣＱＩの差分に関する情報を含む、付記８記載の基地局。
【０１７６】
（付記１０）
前記更新内容に関する前記情報は、前記第２のチャネル状態情報により特定されるＰＭＩ（Precoding Matrix Indicator）を基準とするＰＭＩの一部分に関する情報を含む、付記８又は９記載の基地局。
【０１７７】
（付記１１）
前記更新内容に関する前記情報は、前記第２のチャネル状態情報により特定されるＬ１−ＲＳＲＰ（Layer 1 - Reference Signal Received Power）を基準とするＬ１−ＲＳＲＰの順序に関する情報を含む、付記８乃至１０のうち何れか１項記載の基地局。
【０１７８】
（付記１２）
前記第１の非周期的トリガーステイトの構成に関する前記情報は、前記更新内容に関する前記情報を表すビット数に関する情報を含む、付記８乃至１１のうち何れか１項記載の基地局。
【０１７９】
（付記１３）
前記第１の非周期的トリガーステイトの構成に関する前記情報は、前記第１のチャネル状態情報に前記更新内容に関する前記情報が含まれるか否かに関する情報を含む、付記８乃至１２のうち何れか１項記載の基地局。
【０１８０】
（付記１４）
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信する受信処理部と、
前記第１の非周期的トリガーステイトの構成に関する前記情報に基づき、前記ＰＵＣＣＨを用いて前記第１のチャネル状態情報を前記基地局に送信する送信処理部と、を備える端末装置。
【０１８１】
（付記１５）
端末装置がＰＵＣＣＨ（Physical Uplink Control Channel）を用いて第１のチャネル状態情報を非周期的に報告するための第１の非周期的トリガーステイトの構成に関する情報を取得することと、
前記第１の非周期的トリガーステイトの構成に関する前記情報を含むＲＲＣ（Radio Resource Control）メッセージを、前記端末装置に送信することと、を含む方法。
【０１８２】
（付記１６）
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、
前記第１の非周期的トリガーステイトの構成に関する前記情報に基づき、前記ＰＵＣＣＨを用いて前記第１のチャネル状態情報を前記基地局に送信することと、を含む方法。
【０１８３】
（付記１７）
端末装置がＰＵＣＣＨ（Physical Uplink Control Channel）を用いて第１のチャネル状態情報を非周期的に報告するための第１の非周期的トリガーステイトの構成に関する情報を取得することと、
前記第１の非周期的トリガーステイトの構成に関する前記情報を含むＲＲＣ（Radio Resource Control）メッセージを、前記端末装置に送信することと、をプロセッサに実行させるプログラム。
【０１８４】
（付記１８）
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、
前記第１の非周期的トリガーステイトの構成に関する前記情報に基づき、前記ＰＵＣＣＨを用いて前記第１のチャネル状態情報を前記基地局に送信することと、をプロセッサに実行させるプログラム。
【０１８５】
（付記１９）
端末装置がＰＵＣＣＨ（Physical Uplink Control Channel）を用いて第１のチャネル状態情報を非周期的に報告するための第１の非周期的トリガーステイトの構成に関する情報を取得することと、
前記第１の非周期的トリガーステイトの構成に関する前記情報を含むＲＲＣ（Radio Resource Control）メッセージを、前記端末装置に送信することと、をプロセッサに実行させるプログラムを記録したコンピュータに読み取り可能な非一時的記録媒体。
【０１８６】
（付記２０）
ＰＵＣＣＨ（Physical Uplink Control Channel）を用いて第１のチャネル状態情報を非周期的に報告するための第１の非周期的トリガーステイトの構成に関する情報を含むＲＲＣ（Radio Resource Control）メッセージを、基地局から受信することと、
前記第１の非周期的トリガーステイトの構成に関する前記情報に基づき、前記ＰＵＣＣＨを用いて前記第１のチャネル状態情報を前記基地局に送信することと、をプロセッサに実行させるプログラムを記録したコンピュータに読み取り可能な非一時的記録媒体。
【０１８７】
この出願は、２０１８年１０月３１日に出願された日本出願特願２０１８−２０５６７６を基礎とする優先権を主張し、その開示の全てをここに取り込む。
【産業上の利用可能性】
【０１８８】
移動体通信システムにおいて、ＰＵＣＣＨを用いた非周期的なチャネル状態情報を報告するための構成に関する情報を、適切に端末装置にシグナリングすることができる。
【符号の説明】
【０１８９】
１        システム
１００    基地局
１４１、１５１  取得部
１４３、１５３  送信処理部
１４５  受信処理部
２００    端末装置
２３１、２４１  受信処理部
２３３、２４３  送信処理部
【図１】
2020090573.tif 000013
【図２】
2020090573.tif 000014
【図３】
2020090573.tif 000015
【図４】
2020090573.tif 000016
【図５】
2020090573.tif 000017
【図６】
2020090573.tif 000018
【図７】
2020090573.tif 000019
【図８】
2020090573.tif 000020
【図９】
2020090573.tif 000021
【図１０】
2020090573.tif 000022
【図１１】
2020090573.tif 000023
【図１２】
2020090573.tif 000024
【図１３】
2020090573.tif 000025
【図１４】
2020090573.tif 000026
【図１５】
2020090573.tif 000027
【図１６】
2020090573.tif 000028
【図１７】
2020090573.tif 000029
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
端末装置がＰＵＣＣＨ（Physical Uplink Control Channel）を用いて第１のチャネル状態情報を非周期的に報告するための第１の非周期的トリガーステイトの構成に関する情報を取得する取得手段と、
前記第１の非周期的トリガーステイトの構成に関する前記情報を含むＲＲＣ（Radio Resource Control）メッセージを、前記端末装置に送信する送信処理手段と、を備える基地局。
【請求項２】
前記取得手段は、前記端末装置がＰＵＳＣＨ（Physical Uplink Shared Channel）を用いて第２のチャネル状態情報を非同期で報告するための第２の非周期的トリガーステイトの構成に関する情報を更に取得し、
前記送信処理手段は、前記第１の非周期的トリガーステイトの構成に関する前記情報と前記第２の非周期的トリガーステイトの構成に関する前記情報とを含むＲＲＣ（Radio Resource Control）メッセージを、前記端末装置に送信する請求項１記載の基地局。
【請求項３】
前記第１の非周期的トリガーステイトの構成に関する前記情報は、複数の非周期的トリガーステイトの候補の中から前記第１の非周期的トリガーステイトを識別する第１の識別情報を含む、請求項２記載の基地局。
【請求項４】
前記取得手段は、複数の第２の非周期的トリガーステイトの構成に関する情報を取得し、
前記第１の識別情報は、前記複数の第２の非周期的トリガーステイトの中から前記第１の非周期的トリガーステイトに関連付けられた第２の非周期的トリガーステイトを識別するための情報である、請求項３記載の基地局。
【請求項５】
前記第２の非周期的トリガーステイトの構成に関する前記情報は、前記第２の非周期的トリガーステイトに関連付けられた第２のチャネル状態情報の構成に関する情報を識別する第２の識別情報を含み、
前記第１の非周期的トリガーステイトに関連付けられた第１のチャネル状態情報の構成に関する情報は、前記第１の非周期的トリガーステイトに関連付けられた第２の非周期的トリガーステイトの構成に関する前記情報に含まれる前記第２の識別情報に基づいて識別される、請求項４記載の基地局。
【請求項６】
前記第１の非周期的トリガーステイトの構成に関する前記情報は、前記第２の非周期的トリガーステイトの構成に関する前記情報に関連付けられていない情報である、請求項２記載の基地局。
【請求項７】
前記第１の非周期的トリガーステイトの構成に関する前記情報は、前記第１の非周期的トリガーステイトに対応する第１のチャネル状態情報の構成に関する情報を識別する第３の識別情報を含む、請求項６記載の基地局。
【請求項８】
前記第１のチャネル状態情報は、前記第２のチャネル状態情報により特定されるチャネル状態を基準とする更新内容に関する情報を含む、請求項２乃至７のうち何れか１項記載の基地局。
【請求項９】
前記第１の非周期的トリガーステイトの構成に関する前記情報は、前記更新内容に関する前記情報を表すビット数に関する情報を含む、請求項８記載の基地局。
【請求項１０】
端末装置がＰＵＣＣＨ（Physical Uplink Control Channel）を用いて第１のチャネル状態情報を非周期的に報告するための第１の非周期的トリガーステイトの構成に関する情報を取得することと、
前記第１の非周期的トリガーステイトの構成に関する前記情報を含むＲＲＣ（Radio Resource Control）メッセージを、前記端末装置に送信することと、を含む方法。
【国際調査報告】
2020090573.tif 000030
2020090573.tif 000031
2020090573.tif 000032
2020090573.tif 000033